(57)【要約】【課題】利便性を高めることができるファクシミリ装置、画像送信方法及びプログラムを提供する。【解決手段】１以上の子機のいずれかから、第１の画像、送信先情報、及び送信元情報処理装置識別情報を受信する第１の受信部１２１と、第１の画像を送信先情報が示す送信先にファクシミリ送信する第１の送信部１２３と、送信先情報が示す送信先を送信元とする第１の送信元情報と、送信元情報処理装置識別情報が示す情報処理装置を転送先とする転送先情報処理装置識別情報と、を対応付けた転送情報を登録する登録部１２５と、第２の画像、及び第２の画像の送信元を示す第２の送信元情報を、ファクシミリ受信する第２の受信部１３１と、第２の送信元情報が示す送信元と第１の送信元情報が示す送信元とが一致する場合に、第２の画像を、第１の送信元情報に対応付けられた転送先情報処理装置識別情報が示す子機に送信する第２の送信部１３３と、を備える。【選択図】図４
2016174242.tif 000002
【特許請求の範囲】
【請求項１】
１以上の情報処理装置のいずれかから、内部ネットワークを介して、第１の画像、前記第１の画像の送信先を示す送信先情報、及び前記第１の画像の送信元となる情報処理装置を示す送信元情報処理装置識別情報を受信する第１の受信部と、
前記第１の画像を、外部ネットワークを介して、前記送信先情報が示す送信先にファクシミリ送信する第１の送信部と、
前記送信先情報が示す送信先を送信元とする第１の送信元情報と、前記送信元情報処理装置識別情報が示す前記情報処理装置を転送先とする転送先情報処理装置識別情報と、を対応付けた転送情報を転送情報記憶部に登録する登録部と、
第２の画像、及び前記第２の画像の送信元を示す第２の送信元情報を、前記外部ネットワークを介して、ファクシミリ受信する第２の受信部と、
前記第２の送信元情報が示す送信元と前記第１の送信元情報が示す送信元とが一致する場合に、前記第２の画像を、前記内部ネットワークを介して、前記第１の送信元情報に対応付けられた前記転送先情報処理装置識別情報が示す前記情報処理装置に送信する第２の送信部と、
を備えるファクシミリ装置。
【請求項２】
前記登録部は、前記第１の送信部によるファクシミリ送信が行われる毎に、前記転送情報を前記転送情報記憶部に登録し、
前記第２の送信部は、前記第２の送信元情報が示す送信元と一致する送信元を示す前記第１の送信元情報が複数存在する場合、前記第２の画像を、前記内部ネットワークを介して、前記複数の第１の送信元情報それぞれに対応付けられた前記転送先情報処理装置識別情報が示す情報処理装置に送信する請求項１に記載のファクシミリ装置。
【請求項３】
前記転送情報は、前記第１の送信元情報及び前記転送先情報処理装置識別情報に前記第１の画像を更に対応付けたものであり、
前記登録部は、前記第１の送信部によるファクシミリ送信が行われる毎に、前記転送情報を前記転送情報記憶部に登録し、
前記第２の送信部は、前記第２の送信元情報が示す送信元と一致する送信元を示す前記第１の送信元情報が複数存在する場合、前記第２の画像を、前記内部ネットワークを介して、前記複数の第１の送信元情報それぞれに対応付けられた前記第１の画像のうち前記第２の画像と最も類似する第１の画像に対応付けられた転送先情報処理装置識別情報が示す情報処理装置に送信する請求項１に記載のファクシミリ装置。
【請求項４】
前記第１の受信部は、前記１以上の情報処理装置のいずれかから、前記内部ネットワークを介して、当該情報処理装置及び送信元を示す削除情報を更に受信し、
前記削除情報が示す情報処理装置と一致する情報処理装置を示す転送先情報処理装置識別情報、及び前記削除情報が示す送信元と一致する送信元を示す第１の送信元情報を含む転送情報を前記転送情報記憶部から削除する削除部を更に備える請求項１〜３のいずれか１つに記載のファクシミリ装置。
【請求項５】
前記第１の受信部は、前記第１の画像とともに、前記送信先情報が示す送信先を送信元とする前記第２の画像を転送するか否かを示す転送要否情報を受信し、
前記登録部は、前記転送要否情報が転送要を示す場合、前記転送情報を前記転送情報記憶部に登録する請求項１〜４のいずれか１つに記載のファクシミリ装置。
【請求項６】
前記第１の受信部は、前記第１の画像とともに、前記第１の画像のファクシミリ送信に対する返信を受け付けるか否かを示す返信要否情報を更に受信し、
前記登録部は、前記返信要否情報が返信要を示す場合、前記転送情報を前記転送情報記憶部に登録し、
前記第２の送信部により前記転送情報を用いた返信が行われた場合、当該転送情報を前記転送情報記憶部から削除する削除部を更に備える請求項１〜４のいずれか１つに記載のファクシミリ装置。
【請求項７】
前記第２の送信部は、前記第２の画像とともに前記返信が完了したか否かを確認する返信確認情報を送信し、
前記第１の受信部は、前記第２の画像が送信された情報処理装置から、前記内部ネットワークを介して、前記返信が完了したか否かを示す返信結果情報を更に受信し、
前記削除部は、前記返信が行われ、かつ前記返信結果情報が返信完了を示す場合に、前記転送情報を前記転送情報記憶部から削除する請求項６に記載のファクシミリ装置。
【請求項８】
前記転送情報は、前記第１の送信元情報及び前記転送先情報処理装置識別情報に、前記情報処理装置が前記第１の画像を送信した日時を示す日時情報を更に対応付けたものであり、
前記登録部は、前記第１の送信部によるファクシミリ送信が行われる毎に、前記転送情報を前記転送情報記憶部に登録し、
前記第２の送信部は、前記第２の送信元情報が示す送信元と一致する送信元を示す前記第１の送信元情報が複数存在する場合、前記第２の画像を、前記内部ネットワークを介して、前記複数の第１の送信元情報それぞれに対応付けられた前記日時情報のうち最も古い日時を示す日時情報に対応付けられた転送先情報処理装置識別情報が示す情報処理装置に送信する請求項６又は７に記載のファクシミリ装置。
【請求項９】
前記第２の送信部は、前記第２の画像とともに前記返信が完了したか否かを確認する返信確認情報を送信し、
前記第１の受信部は、前記第２の画像が送信された情報処理装置から、前記内部ネットワークを介して、前記返信が完了したか否かを示す返信結果情報を更に受信し、
前記第２の送信部は、前記返信結果情報が返信未完了を示す場合、前記第２の画像を、前記内部ネットワークを介して、前記複数の第１の送信元情報それぞれに対応付けられた前記日時情報のうち前記第２の画像を前回送信した情報処理装置を示す転送先情報処理装置識別情報に対応付けられた日時情報が示す日時の次に古い日時を示す日時情報に対応付けられた転送先情報処理装置識別情報が示す情報処理装置に送信する請求項８に記載のファクシミリ装置。
【請求項１０】
前記第２の送信部は、前記複数の第１の送信元情報それぞれに対応付けられた前記日時情報のうち最新の日時を示す日時情報に対応付けられた転送先情報処理装置識別情報が示す情報処理装置から受信された前記返信結果情報が返信未完了を示す場合、前記第２の画像を、前記内部ネットワークを介して、前記１以上の情報処理装置のうちの予め定められた情報処理装置であって前記第２の画像を未送信の情報処理装置に送信する請求項９に記載のファクシミリ装置。
【請求項１１】
前記転送情報は、前記第１の送信元情報、前記転送先情報処理装置識別情報、及び前記日時情報に前記第１の画像を更に対応付けたものであり、
前記第２の送信部は、前記第２の送信元情報が示す送信元と一致する送信元を示す前記第１の送信元情報が複数存在する場合、前記第２の画像を、前記内部ネットワークを介して、前記複数の第１の送信元情報それぞれに対応付けられた前記第１の画像のうち前記第２の画像との類似度が閾値を超えた１以上の第１の画像それぞれに対応付けられた転送先情報処理装置識別情報であって、対応付けられた日時情報が最も古い日時を示す転送先情報処理装置識別情報が示す情報処理装置に送信する請求項８に記載のファクシミリ装置。
【請求項１２】
前記転送情報は、前記登録部により取得される、前記転送先情報処理装置識別情報が示す前記情報処理装置の１以上の排紙先及び当該１以上の排紙先それぞれの用途を示す排紙先用途情報を更に含み、
前記第２の送信部は、前記排紙先用途情報が示す前記１以上の排紙先のうちの予め定められた用途の排紙先を指定して、前記第２の画像を前記転送先情報処理装置識別情報が示す前記情報処理装置に送信する請求項１〜１１のいずれか１つに記載のファクシミリ装置。
【請求項１３】
前記転送情報は、前記登録部により取得される、前記転送先情報処理装置識別情報が示す前記情報処理装置の１以上の排紙先を示す排紙先情報を更に含み、
前記第２の送信部は、前記第２の画像を解析し、前記排紙先情報が示す前記１以上の排紙先のうちの解析結果に応じた排紙先を指定して、前記第２の画像を前記転送先情報処理装置識別情報が示す前記情報処理装置に送信する請求項１〜１１のいずれか１つに記載のファクシミリ装置。
【請求項１４】
前記転送情報は、前記登録部により取得される、前記転送先情報処理装置識別情報が示す前記情報処理装置で印刷可能な用紙サイズを示す用紙サイズ情報を更に含み、
前記第２の送信部は、前記用紙サイズ情報を用いて、前記転送先情報処理装置識別情報が示す前記情報処理装置が前記第２の画像に対応する用紙サイズで印刷可能か否かを判定し、印刷可能な場合、前記第２の画像に対応する用紙サイズを指定して、前記第２の画像を前記情報処理装置に送信する請求項１〜１３のいずれか１つに記載のファクシミリ装置。
【請求項１５】
前記第２の送信部は、前記転送先情報処理装置識別情報が示す前記情報処理装置が前記第２の画像に対応する用紙サイズで印刷不可能な場合、前記情報処理装置で印刷可能な用紙サイズが前記第２の画像に対応する用紙サイズと不一致であることを示す不一致情報を前記情報処理装置に更に送信する請求項１４に記載のファクシミリ装置。
【請求項１６】
前記第２の送信部は、前記転送先情報処理装置識別情報が示す前記情報処理装置が前記第２の画像に対応する用紙サイズで印刷不可能な場合、前記１以上の情報処理装置それぞれの前記用紙サイズ情報を用いて、前記第２の画像に対応する用紙サイズで印刷可能な情報処理装置を特定し、前記特定した情報処理装置を示す印刷可能情報処理装置情報を、前記転送先情報処理装置識別情報が示す前記情報処理装置に更に送信する請求項１５に記載のファクシミリ装置。
【請求項１７】
前記第１の受信部は、前記不一致情報が送信された情報処理装置から、前記内部ネットワークを介して、前記第２の画像の印刷を実行する情報処理装置を示す印刷実行情報処理装置情報を更に受信し、
前記第２の送信部は、前記第２の画像に対応する用紙サイズを指定して、前記第２の画像を、前記内部ネットワークを介して、前記印刷実行情報処理装置情報が示す前記情報処理装置に送信する請求項１６に記載のファクシミリ装置。
【請求項１８】
１以上の情報処理装置のいずれかから、内部ネットワークを介して、第１の画像、前記第１の画像の送信先を示す送信先情報、及び前記第１の画像の送信元となる情報処理装置を示す送信元情報処理装置識別情報を受信する受信ステップと、
前記第１の画像を、外部ネットワークを介して、前記送信先情報が示す送信先にファクシミリ送信する送信ステップと、
前記送信先情報が示す送信先を送信元とする第１の送信元情報と、前記送信元情報処理装置識別情報が示す前記情報処理装置を転送先とする転送先情報処理装置識別情報と、を対応付けた転送情報を転送情報記憶部に登録する登録ステップと、
第２の画像、及び前記第２の画像の送信元を示す第２の送信元情報を、前記外部ネットワークを介して、ファクシミリ受信する受信ステップと、
前記第２の送信元情報が示す送信元と前記第１の送信元情報が示す送信元とが一致する場合に、前記第２の画像を、前記内部ネットワークを介して、前記第１の送信元情報に対応付けられた前記転送先情報処理装置識別情報が示す前記情報処理装置に送信する送信ステップと、
を含む画像送信方法。
【請求項１９】
１以上の情報処理装置のいずれかから、内部ネットワークを介して、第１の画像、前記第１の画像の送信先を示す送信先情報、及び前記第１の画像の送信元となる情報処理装置を示す送信元情報処理装置識別情報を受信する受信ステップと、
前記第１の画像を、外部ネットワークを介して、前記送信先情報が示す送信先にファクシミリ送信する送信ステップと、
前記送信先情報が示す送信先を送信元とする第１の送信元情報と、前記送信元情報処理装置識別情報が示す前記情報処理装置を転送先とする転送先情報処理装置識別情報と、を対応付けた転送情報を転送情報記憶部に登録する登録ステップと、
第２の画像、及び前記第２の画像の送信元を示す第２の送信元情報を、前記外部ネットワークを介して、ファクシミリ受信する受信ステップと、
前記第２の送信元情報が示す送信元と前記第１の送信元情報が示す送信元とが一致する場合に、前記第２の画像を、前記内部ネットワークを介して、前記第１の送信元情報に対応付けられた前記転送先情報処理装置識別情報が示す前記情報処理装置に送信する送信ステップと、
をコンピュータに実行させるためのプログラム。
【発明の詳細な説明】
【技術分野】
【０００１】
本発明は、ファクシミリ装置、画像送信方法及びプログラムに関する。
【背景技術】
【０００２】
公衆回線に接続されたファクシミリ装置である親機と、公衆回線に接続されていない画像処理装置である子機とをＬＡＮ（Local  Area  Network）などで接続することで、公衆回線に接続されていない子機から親機を介して外部にファクシミリを送信したり、外部から親機を介して公衆回線に接続されていない子機でファクシミリを受信したりする技術が知られている。
【０００３】
例えば特許文献１には、親機が、外部から送信されたファクシミリの送信元の電話番号と転送先の子機のＩＰアドレスとを対応付けた受信可否テーブルを用いて、外部から送信されたファクシミリを子機に転送する技術が開示されている。
【発明の概要】
【発明が解決しようとする課題】
【０００４】
しかしながら、上述したような従来技術では、送信元の電話番号と転送先の子機のＩＰアドレスとを予め受信可否テーブルに登録しておかなければ、送信元から送信されたファクシミリを意図した子機に転送できないため、利便性を高めるうえで改善の余地がある。
【０００５】
本発明は、上記事情に鑑みてなされたものであり、利便性を高めることができるファクシミリ装置、画像送信方法及びプログラムを提供することを目的とする。
【課題を解決するための手段】
【０００６】
上述した課題を解決し、目的を達成するために、本発明の一態様にかかるファクシミリ装置は、１以上の情報処理装置のいずれかから、内部ネットワークを介して、第１の画像、前記第１の画像の送信先を示す送信先情報、及び前記第１の画像の送信元となる情報処理装置を示す送信元情報処理装置識別情報を受信する第１の受信部と、前記第１の画像を、外部ネットワークを介して、前記送信先情報が示す送信先にファクシミリ送信する第１の送信部と、前記送信先情報が示す送信先を送信元とする第１の送信元情報と、前記送信元情報処理装置識別情報が示す前記情報処理装置を転送先とする転送先情報処理装置識別情報と、を対応付けた転送情報を転送情報記憶部に登録する登録部と、第２の画像、及び前記第２の画像の送信元を示す第２の送信元情報を、前記外部ネットワークを介して、ファクシミリ受信する第２の受信部と、前記第２の送信元情報が示す送信元と前記第１の送信元情報が示す送信元とが一致する場合に、前記第２の画像を、前記内部ネットワークを介して、前記第１の送信元情報に対応付けられた前記転送先情報処理装置識別情報が示す前記情報処理装置に送信する第２の送信部と、を備える。
【発明の効果】
【０００７】
本発明によれば、利便性を高めることができるという効果を奏する。
【図面の簡単な説明】
【０００８】
【図１】図１は、本実施形態のファクシミリシステムの構成の一例を示す模式図である。
【図２】図２は、本実施形態の親機のハードウェア構成の一例を示す構成図である。
【図３】図３は、本実施形態の子機のハードウェア構成の一例を示す構成図である。
【図４】図４は、本実施形態の親機の機能構成の一例を示すブロック図である。
【図５】図５は、本実施形態のファクシミリ依頼情報の一例を示す図である。
【図６】図６は、本実施形態の転送情報記憶部に記憶された転送リストの一例を示す図である。
【図７】図７は、本実施形態の子機の機能構成の一例を示すブロック図である。
【図８】図８は、本実施形態の受信転送解除画面の一例を示す図である。
【図９】図９は、本実施形態の受信転送登録画面の一例を示す図である。
【図１０】図１０は、本実施形態の親機で実行される登録処理の一例を示すフローチャート図である。
【図１１】図１１は、本実施形態の親機で実行される転送処理の一例を示すフローチャート図である。
【図１２】図１２は、本実施形態の親機で実行される削除処理の一例を示すフローチャート図である。
【図１３】図１３は、変形例１の親機の機能構成の一例を示すブロック図である。
【図１４】図１４は、変形例１の転送情報記憶部に記憶された転送リストの一例を示す図である。
【図１５】図１５は、変形例１の親機で実行される転送処理の一例を示すフローチャート図である。
【図１６】図１６は、変形例２の子機の機能構成の一例を示すブロック図である。
【図１７】図１７は、変形例２の転送要否設定画面の一例を示す図である。
【図１８】図１８は、変形例２の親機の機能構成の一例を示すブロック図である。
【図１９】図１９は、変形例２の親機で実行される登録処理の一例を示すフローチャート図である。
【図２０】図２０は、変形例３の子機の機能構成の一例を示すブロック図である。
【図２１】図２１は、変形例３の返信要否設定画面の一例を示す図である。
【図２２】図２２は、変形例３の親機の機能構成の一例を示すブロック図である。
【図２３】図２３は、変形例３の転送情報記憶部に記憶された転送リストの一例を示す図である。
【図２４】図２４は、変形例３の親機で実行される登録処理の一例を示すフローチャート図である。
【図２５】図２５は、変形例３の親機で実行される転送処理の一例を示すフローチャート図である。
【図２６】図２６は、変形例４の親機の機能構成の一例を示すブロック図である。
【図２７】図２７は、変形例４の転送情報記憶部に記憶された転送リストの一例を示す図である。
【図２８】図２８は、変形例４の親機で実行される転送処理の一例を示すフローチャート図である。
【図２９】図２９は、変形例５の親機の機能構成の一例を示すブロック図である。
【図３０】図３０は、変形例５の子機の機能構成の一例を示すブロック図である。
【図３１】図３１は、変形例５の返信確認画面の一例を示す図である。
【図３２】図３２は、変形例５の親機で実行される受信画像受信時の転送処理の一例を示すフローチャート図である。
【図３３】図３３は、変形例５の返信確認リストの一例を示す図である。
【図３４】図３４は、変形例５の親機で実行される返信結果情報受信時の転送処理の一例を示すフローチャート図である。
【図３５】図３５は、変形例６の親機の機能構成の一例を示すブロック図である。
【図３６】図３６は、変形例６の転送情報記憶部に記憶された転送リストの一例を示す図である。
【図３７】図３７は、変形例６の親機で実行される転送処理の一例を示すフローチャート図である。
【図３８】図３８は、変形例７の親機の機能構成の一例を示すブロック図である。
【図３９】図３９は、変形例７の転送情報記憶部に記憶された転送リストの一例を示す図である。
【図４０】図４０は、変形例７の親機で実行される転送処理の一例を示すフローチャート図である。
【図４１】図４１は、変形例８の親機の機能構成の一例を示すブロック図である。
【図４２】図４２は、変形例８の転送情報記憶部に記憶された転送リストの一例を示す図である。
【図４３】図４３は、変形例８の親機で実行される転送処理の一例を示すフローチャート図である。
【図４４】図４４は、変形例９の親機の機能構成の一例を示すブロック図である。
【図４５】図４５は、変形例９の子機の機能構成の一例を示すブロック図である。
【図４６】図４６は、変形例９の印刷選択画面の一例を示す図である。
【図４７】図４７は、変形例９の一覧画面の一例を示す図である。
【図４８】図４８は、変形例９の親機で実行される転送処理の一例を示すフローチャート図である。
【図４９】図４９は、変形例９の親機で実行される印刷実行情報処理装置情報受信時の転送処理の一例を示すフローチャート図である。
【発明を実施するための形態】
【０００９】
以下、添付図面を参照しながら、本発明にかかるファクシミリ装置、画像送信方法及びプログラムの実施形態を詳細に説明する。
【００１０】
図１は、本実施形態のファクシミリシステム１の構成の一例を示す模式図である。図１に示すように、ファクシミリシステム１は、親機１０と、子機２０−１〜２０−４と、外部ファクシミリ装置３０−１、３０−２と、を備える。親機１０と子機２０−１〜２０−４とは、内部ネットワーク２を介して接続され、親機１０と外部ファクシミリ装置３０−１、３０−２とは、外部ネットワーク３を介して接続されている。
【００１１】
以下の説明では、子機２０−１〜２０−４を各々区別する必要がない場合は、単に子機２０と称し、外部ファクシミリ装置３０−１、３０−２を各々区別する必要がない場合は、単に外部ファクシミリ装置３０と称する場合がある。また、図１では、子機２０の台数が４台である場合を例示しているが、これに限定されず、１台以上であれば何台であってもよい。同様に、図１では、外部ファクシミリ装置３０の台数が２台である場合を例示しているが、これに限定されず、１台以上であれば何台であってもよい。
【００１２】
親機１０は、外部ネットワーク３に接続されたファクシミリ装置である。ファクシミリ装置は、少なくともファクシミリ機能を有していればよく、ファクシミリ機能を主機能とする装置、ファクシミリ機能を有する電話機、及びファクシミリ機能を有する複合機（ＭＦＰ：Multifunction  Peripheral）などが挙げられる。本実施形態では、親機１０がファクシミリ機能を主機能とする装置である場合を例に取り説明するが、これに限定されるものではない。
【００１３】
子機２０は、親機１０が接続される内部ネットワーク２に接続される情報処理装置であり、例えば、複合機など画像読取機能（スキャナ機能）及び印刷機能を有する画像処理装置、ＰＣ（Personal  Computer）、タブレット端末、又はスマートフォンなどが挙げられる。本実施形態では、子機２０が画像読取機能及び印刷機能を有する複合機である場合を例に取り説明するが、これに限定されるものではない。
【００１４】
内部ネットワーク２は、私設ネットワークであり、例えば、ＬＡＮ（Local  Area  Network）などが挙げられる。外部ネットワーク３は、公衆ネットワークであり、例えば、公衆回線網やインターネットなどが挙げられる。本実施形態では、外部ネットワーク３が公衆回線網である場合を例に取り説明するが、これに限定されるものではない。
【００１５】
図２は、本実施形態の親機１０のハードウェア構成の一例を示す構成図である。図２に示すように、親機１０は、スキャナ１０１と、プロッタ１０２と、エンジン制御部１０３と、ネットワーク制御部１０４と、ファクシミリ制御部１０５と、操作パネル１０６と、ＲＯＭ（Read  Only  Memory）１０７と、ＲＡＭ（Random  Access  Memory）１０８と、ＨＤＤ(Hard  Disk  Drive)１０９と、ＣＰＵ（Central  Processing  Unit）１１０と、を備える。但し、図２に示す親機１０のハードウェア構成は、一例であり、これに限定されるものではない。
【００１６】
スキャナ１０１は、原稿台に置かれた原稿を電子的に読み取り、画像を生成する。プロッタ１０２は、画像を印刷出力する。エンジン制御部１０３は、スキャナ１０１を制御することでスキャナ１０１に原稿を読み取らせるとともに、プロッタ１０２を制御することでプロッタ１０２に画像を印刷出力させる。ネットワーク制御部１０４は、内部ネットワーク２を介した通信を制御する。ファクシミリ制御部１０５は、外部ネットワーク３を介した通信を制御する。
【００１７】
操作パネル１０６は、画面を表示するためのＬＣＤ（Liquid  Crystal  Display）、状態を示すＬＥＤ（Light  Emitting  Diode）、ブザー、ハードキー、及びタッチパネルを備え、ＬＣＤに各種情報を表示したり、ハードキーやタッチパネルから各種情報の入力を受け付けたりする。
【００１８】
ＲＯＭ１０７は、ＣＰＵ１１０で実行されるプログラムなどを記憶する。ＲＡＭ１０８は、ＣＰＵ１１０の作業領域に用いられる。ＨＤＤ１０９は、ＣＰＵ１１０が使用する各種データを記憶する。ＣＰＵ１１０は、ＲＯＭ１０７に記憶されたプログラムをＲＡＭ１０８上で実行することで、バスで接続されたエンジン制御部１０３、ネットワーク制御部１０４、ファクシミリ制御部１０５、及び操作パネル１０６などを制御する。
【００１９】
図３は、本実施形態の子機２０のハードウェア構成の一例を示す構成図である。図３に示すように、子機２０は、スキャナ２０１と、プロッタ２０２と、エンジン制御部２０３と、ネットワーク制御部２０４と、操作パネル２０６と、ＲＯＭ２０７と、ＲＡＭ２０８と、ＨＤＤ２０９と、ＣＰＵ２１０と、を備える。但し、図３に示す子機２０のハードウェア構成は、一例であり、これに限定されるものではない。
【００２０】
スキャナ２０１は、原稿台に置かれた原稿を電子的に読み取り、画像を生成する。プロッタ２０２は、画像を印刷出力する。エンジン制御部２０３は、スキャナ２０１を制御することでスキャナ２０１に原稿を読み取らせるとともに、プロッタ２０２を制御することでプロッタ２０２に画像を印刷出力させる。ネットワーク制御部２０４は、内部ネットワーク２を介した通信を制御する。
【００２１】
操作パネル２０６は、画面を表示するためのＬＣＤ、状態を示すＬＥＤ、ブザー、ハードキー、及びタッチパネルを備え、ＬＣＤに各種情報を表示したり、ハードキーやタッチパネルから各種情報の入力を受け付けたりする。
【００２２】
ＲＯＭ２０７は、ＣＰＵ２１０で実行されるプログラムなどを記憶する。ＲＡＭ２０８は、ＣＰＵ２１０の作業領域に用いられる。ＨＤＤ２０９は、ＣＰＵ２１０が使用する各種データを記憶する。ＣＰＵ２１０は、ＲＯＭ２０７に記憶されたプログラムをＲＡＭ２０８上で実行することで、バスで接続されたエンジン制御部２０３、ネットワーク制御部２０４、及び操作パネル２０６などを制御する。
【００２３】
図４は、本実施形態の親機１０の機能構成の一例を示すブロック図である。図４に示すように、親機１０は、第１の受信部１２１と、第１の送信部１２３と、登録部１２５と、転送情報記憶部１２７と、削除部１２９と、第２の受信部１３１と、第２の送信部１３３と、を含む。
【００２４】
第１の受信部１２１及び第２の送信部１３３は、例えば、ネットワーク制御部１０４、ＲＡＭ１０８、及びＣＰＵ１１０により実現できる。第１の送信部１２３及び第２の受信部１３１は、例えば、ファクシミリ制御部１０５、ＲＡＭ１０８、及びＣＰＵ１１０により実現できる。登録部１２５及び削除部１２９は、例えば、ＲＡＭ１０８及びＣＰＵ１１０により実現できる。転送情報記憶部１２７は、例えば、ＨＤＤ１０９により実現できる。
【００２５】
第１の受信部１２１は、子機２０−１〜２０−４のいずれかから、内部ネットワーク２を介して、第１の画像、第１の画像の送信先を示す送信先情報、及び第１の画像の送信元となる子機２０を示す送信元情報処理装置識別情報を対応付けたファクシミリ依頼情報を受信する。第１の画像は送信対象の送信画像が挙げられ、送信先情報は、例えば、送信先である外部ファクシミリ装置３０のファクシミリ番号が挙げられ、送信元情報処理装置識別情報は、例えば、送信元の子機２０のＩＰアドレスが挙げられる。
【００２６】
図５は、本実施形態のファクシミリ依頼情報の一例を示す図である。図５に示す例では、送信元子機アドレス（送信元情報処理装置識別情報）が送信元の子機２０のＩＰアドレスであり、送信先ファクシミリ番号（送信先情報）が送信先の外部ファクシミリ装置３０のファクシミリ番号であり、送信画像（第１の画像）が画像Ｆとなっている。
【００２７】
また、第１の受信部１２１は、子機２０−１〜２０−４のいずれかから、内部ネットワーク２を介して、当該子機２０及び送信元を示す削除情報や登録情報を更に受信する。削除情報は、後述の転送情報を削除するための情報であり、例えば、削除を示すフラグ、当該削除情報を送信した子機２０であって受信画像の転送先となる当該子機２０のＩＰアドレス、及び受信画像の送信元である外部ファクシミリ装置３０のファクシミリ番号の組を示す情報などが挙げられる。登録情報は、後述の転送情報を登録するための情報であり、例えば、登録を示すフラグ、当該登録情報を送信した子機２０であって受信画像の転送先となる当該子機２０のＩＰアドレス、及び受信画像の送信元である外部ファクシミリ装置３０のファクシミリ番号の組を示す情報などが挙げられる。
【００２８】
第１の送信部１２３は、第１の受信部１２１により受信されたファクシミリ依頼情報に含まれる第１の画像を、外部ネットワーク３を介して、当該ファクシミリ依頼情報に含まれる送信先情報が示す送信先にファクシミリ送信する。例えば、図５に示すファクシミリ依頼情報の場合、送信先情報が「０３ｘｘｘｘｘｘｘｘ」となるので、第１の送信部１２３は、「０３ｘｘｘｘｘｘｘｘ」が示す外部ファクシミリ装置３０に画像Ｆを送信する。
【００２９】
登録部１２５は、第１の受信部１２１により受信されたファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、を対応付けた転送情報を転送情報記憶部１２７に登録する。
【００３０】
つまり、送信先情報が、送信先である外部ファクシミリ装置３０のファクシミリ番号であれば、第１の送信元情報は当該ファクシミリ番号となり、送信元情報処理装置識別情報が、送信元の子機２０のＩＰアドレスであれば、転送先情報処理装置識別情報は当該ＩＰアドレスとなる。
【００３１】
なお登録部１２５は、第１の送信部１２３によるファクシミリ送信が行われる毎に、第１の受信部１２１により受信されたファクシミリ依頼情報に基づく転送情報を転送情報記憶部１２７に登録する。但し、登録部１２５は、第１の受信部１２１により受信されたファクシミリ依頼情報をキャッシュしておき、複数の転送情報を一括して転送情報記憶部１２７に登録するようにしてもよい。
【００３２】
図６は、本実施形態の転送情報記憶部１２７に記憶された転送リストの一例を示す図であり、５組の転送情報で構成されている。図６に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスとなっている。なお、図６に示す例において、５行目の転送情報は、図５に示すファクシミリ依頼情報に基づいて登録されたものである。
【００３３】
削除部１２９は、第１の受信部１２１により受信された削除情報が示す子機２０を示す転送先情報処理装置識別情報、及び当該削除情報が示す送信元を示す第１の送信元情報を含む転送情報を、転送情報記憶部１２７から削除する。
【００３４】
例えば、削除情報が、送信元の子機２０（受信画像の転送先の子機２０）のＩＰアドレスとして「１１．２２．３３．４４」、受信画像の送信元である外部ファクシミリ装置３０のファクシミリ番号として「０３ｘｘｘｘｘｘｘｘ」を示し、転送情報記憶部１２７に登録された転送情報が図６に示す通りであるとする。この場合、削除部１２９は、図６に示す例において、５行目の転送情報を削除する。
【００３５】
また登録部１２５は、第１の受信部１２１により受信された登録情報が示す子機２０を示す転送先情報処理装置識別情報、及び当該登録情報が示す送信元を示す第１の送信元情報を含む転送情報を、転送情報記憶部１２７に登録する。
【００３６】
例えば、転送情報記憶部１２７に登録された転送情報が図６に示すものから５行目の転送情報が削除されたものであり、登録情報が、送信元の子機２０（受信画像の転送先の子機２０）のＩＰアドレスとして「１１．２２．３３．４４」、受信画像の送信元である外部ファクシミリ装置３０のファクシミリ番号として「０３ｘｘｘｘｘｘｘｘ」を示すとする。この場合、登録部１２５は、図６に示す例において、５行目の転送情報を登録する。
【００３７】
このように本実施形態では、子機２０から外部へのファクシミリの送信に伴い、登録部１２５により自動登録された転送情報を、子機２０から手動で削除したり登録したりできるようになっている。このため本実施形態によれば、自動登録された転送情報が不要になった場合に削除したり、誤って削除してしまった転送情報を新たに登録したり、ファクシミリを送信した子機２０とは異なる子機２０で返信ファクシミリを受信したい場合に転送情報を新たに登録したりすることができる。
【００３８】
第２の受信部１３１は、外部ファクシミリ装置３０から、外部ネットワーク３を介して、第２の画像、及び第２の画像の送信元を示す第２の送信元情報を、ファクシミリ受信する。第２の画像は受信対象の受信画像が挙げられ、第２の送信元情報は、例えば、送信元である外部ファクシミリ装置３０のファクシミリ番号が挙げられる。
【００３９】
第２の送信部１３３は、第２の受信部１３１により受信された第２の送信元情報が示す送信元と、転送情報記憶部１２７に登録されている転送情報に含まれる第１の送信元情報が示す送信元とが一致する場合に、第２の受信部１３１により受信された第２の画像を、内部ネットワーク２を介して、当該第１の送信元情報に対応付けられた転送先情報処理装置識別情報が示す子機２０に送信する。
【００４０】
例えば、第２の受信部１３１により受信された第２の送信元情報が「０４５ｚｚｚｚｚｚｚ」であり、転送情報記憶部１２７に登録された転送情報が図６に示す通りであるとする。この場合、第２の送信部１３３は、図６に示す例において、送信元ファクシミリ番号が「０４５ｚｚｚｚｚｚｚ」である２行目の転送情報に含まれる転送先子機アドレスである「１１．２２．３３．４４」が示す子機２０に第２の画像を送信する。
【００４１】
なお、第２の送信部１３３は、転送情報記憶部１２７に登録されている転送情報において、第２の送信元情報が示す送信元と一致する送信元を示す第１の送信元情報が複数存在する場合、第２の画像を、内部ネットワーク２を介して、複数の第１の送信元情報それぞれに対応付けられた転送先情報処理装置識別情報が示す子機２０に送信する。これにより、第２の画像の受信を望む可能性のある子機２０にもれなく当該第２の画像を転送できる。
【００４２】
例えば、第２の受信部１３１により受信された第２の送信元情報が「０３ｘｘｘｘｘｘｘｘ」であり、転送情報記憶部１２７に登録された転送情報が図６に示す通りであるとする。この場合、第２の送信部１３３は、図６に示す例において、送信元ファクシミリ番号が「０３ｘｘｘｘｘｘｘｘ」である３〜５行目の転送情報に含まれる転送先子機アドレスである「１００．１０１．１０２．１０３」、「５５．６６．７７．８８」、「１１．２２．３３．４４」それぞれが示す子機２０に第２の画像を送信する。
【００４３】
なお、転送情報記憶部１２７に登録されている転送情報において、第２の送信元情報が示す送信元と一致する送信元を示す第１の送信元情報が存在しない場合、予め定められた（デフォルトの）子機２０へ第２の画像を送信してもよいし、親機１０で第２の画像を印刷してもよい。
【００４４】
図７は、本実施形態の子機２０の機能構成の一例を示すブロック図である。図７に示すように、子機２０は、入力部２２１と、表示部２２３と、記憶部２２５と、画像読取部２２７と、送信部２２９と、受信部２３１と、印刷部２３３と、を含む。
【００４５】
入力部２２１及び表示部２２３は、例えば、操作パネル２０６、ＲＡＭ２０８、及びＣＰＵ２１０により実現できる。記憶部２２５は、例えば、ＨＤＤ２０９により実現できる。画像読取部２２７は、例えば、スキャナ２０１、エンジン制御部２０３、ＲＡＭ２０８、及びＣＰＵ２１０により実現できる。送信部２２９及び受信部２３１は、例えば、ネットワーク制御部２０４、ＲＡＭ２０８、及びＣＰＵ２１０により実現できる。印刷部２３３は、例えば、プロッタ２０２、エンジン制御部２０３、ＲＡＭ２０８、及びＣＰＵ２１０により実現できる。
【００４６】
入力部２２１は、表示部２２３にファクシミリ依頼情報の入力画面を表示させ、ユーザ操作に基づいて、送信先情報を入力し、画像読取部２２７は、原稿を読み取り、第１の画像を生成する。なお、記憶部２２５は、子機２０の送信元情報処理装置識別情報を記憶する。そして、送信部２２９は、画像読取部２２７により生成された第１の画像、入力部２２１により入力された送信先情報、及び記憶部２２５に記憶された送信元情報処理装置識別情報を取得し、これらを対応付けたファクシミリ依頼情報を、内部ネットワーク２を介して、親機１０に送信する。
【００４７】
また、入力部２２１は、表示部２２３に図８に示すような受信転送解除画面を表示させ、ユーザ操作に基づいて、第２の画像（受信画像）の送信元ファクシミリ番号を入力（選択）する。そして、送信部２２９は、入力部２２１により入力された送信先ファクシミリ番号、及び記憶部２２５に記憶された送信元情報処理装置識別情報を取得し、これらを対応付けた削除情報を、内部ネットワーク２を介して、親機１０に送信する。
【００４８】
また、入力部２２１は、表示部２２３に図９に示すような受信転送登録画面を表示させ、ユーザ操作に基づいて、第２の画像（受信画像）の送信元ファクシミリ番号を入力（選択）する。そして、送信部２２９は、入力部２２１により入力された送信先ファクシミリ番号、及び記憶部２２５に記憶された送信元情報処理装置識別情報を取得し、これらを対応付けた登録情報を、内部ネットワーク２を介して、親機１０に送信する。
【００４９】
受信部２３１は、親機１０から、内部ネットワーク２を介して、第２の画像を受信する。印刷部２３３は、受信部２３１により受信された第２の画像を印刷出力する。なお、表示部２２３は、受信部２３１により受信された第２の画像を表示出力してもよい。
【００５０】
図１０は、本実施形態の親機１０で実行される登録処理の一例を示すフローチャート図である。
【００５１】
まず、登録部１２５は、転送情報記憶部１２７に記憶された転送リストに、送信元ファクシミリ番号が、第１の受信部１２１により受信されたファクシミリ依頼情報に含まれる送信先ファクシミリ番号（ｄｓｔ）であり、転送先子機アドレスが、当該ファクシミリ依頼情報に含まれる送信元子機アドレス（ａｄｒ）である転送情報の行が存在するか否かを確認する（ステップＳ００１）。
【００５２】
ステップＳ００１でＮｏの場合、登録部１２５は、当該ファクシミリ依頼情報に含まれる送信先ファクシミリ番号（ｄｓｔ）を送信元ファクシミリ番号、当該ファクシミリ依頼情報に含まれる送信元子機アドレス（ａｄｒ）を転送先子機アドレスとした転送情報の行を転送リストに追加登録する（ステップＳ００３）。
【００５３】
一方、ステップＳ００１でＹｅｓの場合、ステップＳ００３の処理は行われない。
【００５４】
図１１は、本実施形態の親機１０で実行される転送処理の一例を示すフローチャート図である。
【００５５】
まず、第２の送信部１３３は、転送情報記憶部１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ０１１）。
【００５６】
送信元ファクシミリ番号が、第２の受信部１３１により受信された送信元ファクシミリ番号（ｓｅｎｄｅｒ）と一致する転送情報の行が見つかった場合（ステップＳ０１３でＹｅｓ）、第２の送信部１３３は、見つかった転送情報の行の転送先子機アドレスを第２の受信部１３１により受信された受信画像の転送先（ａｄｒ）に設定し（ステップＳ０１５）、転送先（ａｄｒ）に設定された転送先子機アドレスが示す子機２０に当該受信画像を転送する（ステップＳ０１７）。
【００５７】
続いて、第２の送信部１３３は、転送情報記憶部１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ０１９）、ステップＳ０１３へ戻る。
【００５８】
ステップＳ０１３でＹｅｓの場合、ステップＳ０１５へ進み、ステップＳ０１３でＮｏの場合、処理は終了となる。
【００５９】
図１２は、本実施形態の親機１０で実行される削除処理の一例を示すフローチャート図である。
【００６０】
まず、削除部１２９は、転送情報記憶部１２７に記憶された転送リストに、送信元ファクシミリ番号が、第１の受信部１２１により受信された削除情報に含まれる送信元ファクシミリ番号（ｓｅｎｄｅｒ）であり、転送先子機アドレスが、当該削除に含まれる送信元子機アドレス（ａｄｒ）である転送情報の行が存在するか検索する（ステップＳ０２１）。
【００６１】
ステップＳ０２１でＹｅｓの場合、削除部１２９は、転送リストから検索した転送情報の行を削除する（ステップＳ０２３）。
【００６２】
一方、ステップＳ０２１でＮｏの場合、ステップＳ０２３の処理は行われない。
【００６３】
以上のように本実施形態では、親機１０は、子機２０からファクシミリ依頼情報を受信すると、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、を対応付けた転送情報を転送情報記憶部１２７に登録する。
【００６４】
このように本実施形態によれば、子機２０から外部へのファクシミリの送信に伴い、親機１０により転送情報が自動登録されるので、送信元から送信されたファクシミリを意図した子機に転送する上で利便性を高めることができる。
【００６５】
（変形例１）
変形例１では、第２の画像（受信画像）の転送対象の子機が複数存在する場合に、第１の画像（送信画像）との類似度に基づいて、第２の画像の転送先の子機を決定する例について説明する。以下では、上記実施形態との相違点の説明を主に行い、上記実施形態と同様の機能を有する構成要素については、上記実施形態と同様の名称・符号を付し、その説明を省略する。
【００６６】
図１３は、変形例１のファクシミリシステム１００１の親機１０１０の機能構成の一例を示すブロック図である。図１３に示すように、変形例１の親機１０１０では、登録部１１２５、転送情報記憶部１１２７、及び第２の送信部１１３３が上記実施形態と相違する。
【００６７】
登録部１１２５は、第１の送信部１２３によるファクシミリ送信が行われる毎に、第１の受信部１２１により受信されたファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、当該ファクシミリ依頼情報に含まれる第１の画像と、を対応付けた転送情報を転送情報記憶部１１２７に登録する。
【００６８】
図１４は、変形例１の転送情報記憶部１１２７に記憶された転送リストの一例を示す図であり、５組の転送情報で構成されている。図１４に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスであり、送信画像がファクシミリ依頼情報に含まれる第１の画像となっている。なお、図１４に示す例においても、５行目の転送情報は、図５に示すファクシミリ依頼情報に基づいて登録されたものである。
【００６９】
第２の送信部１１３３は、転送情報記憶部１１２７に登録されている転送情報において、第２の送信元情報が示す送信元と一致する送信元を示す第１の送信元情報が複数存在する場合、第２の画像を、内部ネットワーク２を介して、複数の第１の送信元情報それぞれに対応付けられた第１の画像のうち第２の画像と最も類似する第１の画像に対応付けられた転送先情報処理装置識別情報が示す子機２０に送信する。
【００７０】
例えば、第２の受信部１３１により受信された第２の送信元情報が「０３ｘｘｘｘｘｘｘｘ」、第２の画像（受信画像）が、画像Ｆに手書きコメントを加えた「画像Ｆ’」であり、転送情報記憶部１１２７に登録された転送情報が図１４に示す通りであるとする。この場合、第２の送信部１１３３は、図１４に示す例において、送信元ファクシミリ番号が「０３ｘｘｘｘｘｘｘｘ」である３〜５行目の転送情報に含まれる送信画像（第１の画像）である「画像Ｄ」、「画像Ｅ」、「画像Ｆ」それぞれと、「画像Ｆ’」との類似度を算出する。類似度の算出手法は、パターンマッチングなど公知の手法を用いればよい。ここでは、「画像Ｆ」と「画像Ｆ’」との類似度が最も高いとする。このため、第２の送信部１１３３は、図１４に示す例において、「画像Ｆ’」に対応付けられた転送先子機アドレスである「１１．２２．３３．４４」が示す子機２０に「画像Ｆ’」を送信する。
【００７１】
図１５は、変形例１の親機１０１０で実行される転送処理の一例を示すフローチャート図である。
【００７２】
まず、第２の送信部１１３３は、転送情報記憶部１１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ１０１）。
【００７３】
送信元ファクシミリ番号が、第２の受信部１３１により受信された送信元ファクシミリ番号（ｓｅｎｄｅｒ）と一致する転送情報の行が見つかった場合（ステップＳ１０３でＹｅｓ）、第２の送信部１１３３は、見つかった転送情報の行の転送先子機アドレスを第２の受信部１３１により受信された受信画像の転送先候補（ａｄｒ）に設定し（ステップＳ１０５）、当該受信画像と見つかった転送情報の行の送信画像との類似度（ｐｏｉｎｔ）を算出する（ステップＳ１０７）。
【００７４】
続いて、第２の送信部１１３３は、算出した類似度（ｐｏｉｎｔ）が最大類似度（ｍａｘ＿ｐｏｉｎｔ、初期値０）よりも大きい場合（ステップＳ１０９でＹｅｓ）、算出した類似度（ｐｏｉｎｔ）を最大類似度（ｍａｘ＿ｐｏｉｎｔ）に設定するとともに、転送先候補（ａｄｒ）を転送先（ｍａｘ＿ａｄｒ）に設定する（ステップＳ１１１）。なお、ステップＳ１０９でＮｏの場合、ステップＳ１１１の処理は行われない。
【００７５】
続いて、第２の送信部１１３３は、転送情報記憶部１１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ１１３）、ステップＳ１０３へ戻る。
【００７６】
ステップＳ１０３でＹｅｓの場合、ステップＳ１０５へ進み、ステップＳ１０３でＮｏの場合、転送先（ｍａｘ＿ａｄｒ）に設定された転送先子機アドレスが示す子機２０に受信画像を転送する（ステップＳ１１５）。
【００７７】
以上のように変形例１では、親機１０１０は、転送情報において、第２の送信元情報が示す送信元と一致する送信元を示す第１の送信元情報が複数存在する場合、複数の第１の送信元情報それぞれに対応付けられた第１の画像のうち第２の画像と最も類似する第１の画像に対応付けられた転送先情報処理装置識別情報が示す子機２０を転送先とする。
【００７８】
ファクシミリの返信は、送信されたファクシミリに対し、コメントなどを加筆して返信することが多いため、受信画像は送信画像と類似することが多い。このため、変形例１によれば、親機１０１０は、受信画像を適切な子機２０に転送することができる。
【００７９】
（変形例２）
変形例２では、子機が、送信先から送信されるファクシミリを受信するか否かを親機に指定する例について説明する。以下では、上記実施形態との相違点の説明を主に行い、上記実施形態と同様の機能を有する構成要素については、上記実施形態と同様の名称・符号を付し、その説明を省略する。
【００８０】
図１６は、変形例２のファクシミリシステム２００１の子機２０２０の機能構成の一例を示すブロック図である。図１６に示すように、変形例２の子機２０２０では、入力部２２２１、表示部２２２３、及び送信部２２２９が上記実施形態と相違する。
【００８１】
入力部２２２１は、表示部２２２３にファクシミリ依頼情報の入力画面を表示させ、ユーザ操作に基づいて、送信先情報を入力するとともに、表示部２２２３に図１７に示すような転送要否設定画面を表示させ、ユーザ操作に基づいて、入力した送信先情報が示す送信先からのファクシミリ（第２の画像）の転送要否（受け取る／受け取らない）を示す転送要否情報を入力する。
【００８２】
送信部２２２９は、画像読取部２２７により生成された第１の画像、入力部２２２１により入力された送信先情報及び転送要否情報、並びに記憶部２２５に記憶された送信元情報処理装置識別情報を取得し、これらを対応付けたファクシミリ依頼情報を、内部ネットワーク２を介して、親機２０１０に送信する。
【００８３】
図１８は、変形例２の親機２０１０の機能構成の一例を示すブロック図である。図１８に示すように、変形例２の親機２０１０では、第１の受信部２１２１、登録部２１２５、及び削除部２１２９が上記実施形態と相違する。
【００８４】
第１の受信部２１２１は、子機２０２０のいずれかから、内部ネットワーク２を介して、第１の画像、第１の画像の送信先を示す送信先情報、第１の画像の送信元となる子機２０を示す送信元情報処理装置識別情報、及び転送要否情報を対応付けたファクシミリ依頼情報を受信する。転送要否情報は、第１の画像の送信先を送信元とする第２の画像を転送するか否かを示す。
【００８５】
登録部２１２５は、第１の受信部１２１により受信されたファクシミリ依頼情報に含まれる転送要否情報が転送要を示す場合、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、を対応付けた転送情報を転送情報記憶部１２７に登録する。なお、登録部２１２５は、転送要否情報が転送不要を示す場合、転送情報を転送情報記憶部１２７に登録しない。
【００８６】
図１９は、変形例２の親機２０１０で実行される登録処理の一例を示すフローチャート図である。
【００８７】
第１の受信部２１２１により受信されたファクシミリ依頼情報に含まれる転送要否情報（ｒｃｖ＿ｏｎ）が転送要（１）を示す場合（ステップＳ２０１でＹｅｓ）、登録部２１２５は、転送情報記憶部１２７に記憶された転送リストに、送信元ファクシミリ番号が、当該ファクシミリ依頼情報に含まれる送信先ファクシミリ番号（ｄｓｔ）であり、転送先子機アドレスが、当該ファクシミリ依頼情報に含まれる送信元子機アドレス（ａｄｒ）である転送情報の行が存在するか否かを確認する（ステップＳ２０３）。
【００８８】
ステップＳ２０３でＮｏの場合、登録部２１２５は、当該ファクシミリ依頼情報に含まれる送信先ファクシミリ番号（ｄｓｔ）を送信元ファクシミリ番号、当該ファクシミリ依頼情報に含まれる送信元子機アドレス（ａｄｒ）を転送先子機アドレスとした転送情報の行を転送リストに追加登録する（ステップＳ２０５）。なお、ステップＳ２０３でＹｅｓの場合、ステップＳ２０５の処理は行われない。
【００８９】
一方、第１の受信部２１２１により受信されたファクシミリ依頼情報に含まれる転送要否情報（ｒｃｖ＿ｏｎ）が転送不要（０）を示す場合（ステップＳ２０１でＮｏ）、削除部２１２９は、転送情報記憶部１２７に記憶された転送リストに、送信元ファクシミリ番号が、当該ファクシミリ依頼情報に含まれる送信先ファクシミリ番号（ｄｓｔ）であり、転送先子機アドレスが、当該ファクシミリ依頼情報に含まれる送信元子機アドレス（ａｄｒ）である転送情報の行が存在するか検索する（ステップＳ２０７）。
【００９０】
ステップＳ２０７でＹｅｓの場合、削除部２１２９は、転送リストから検索した転送情報の行を削除する（ステップＳ２０９）。なお、ステップＳ２０７でＮｏの場合、ステップＳ２０９の処理は行われない。
【００９１】
以上のように変形例２では、子機２０２０が送信先から送信されるファクシミリを受信するか否かを親機２０１０に指定できるので、当該子機２０２０に対する転送要否の自由度を増すことができる。
【００９２】
（変形例３）
変形例３では、子機が、送信ファクシミリの送信先から当該送信ファクシミリに対する返信ファクシミリを受信するか否かを親機に指定する例について説明する。以下では、上記実施形態との相違点の説明を主に行い、上記実施形態と同様の機能を有する構成要素については、上記実施形態と同様の名称・符号を付し、その説明を省略する。
【００９３】
図２０は、変形例３のファクシミリシステム３００１の子機３０２０の機能構成の一例を示すブロック図である。図２０に示すように、変形例３の子機３０２０では、入力部３２２１、表示部３２２３、及び送信部３２２９が上記実施形態と相違する。
【００９４】
入力部３２２１は、表示部３２２３にファクシミリ依頼情報の入力画面を表示させ、ユーザ操作に基づいて、送信先情報を入力するとともに、表示部３２２３に図２１に示すような返信要否設定画面を表示させ、ユーザ操作に基づいて、入力した送信先情報が示す送信先へ送信する送信ファクシミリ（第１の画像）に対する返信ファクシミリ（第２の画像）の転送要否（受け取る／受け取らない）を示す返信要否情報を入力する。
【００９５】
送信部３２２９は、画像読取部２２７により生成された第１の画像、入力部３２２１により入力された送信先情報及び返信要否情報、並びに記憶部２２５に記憶された送信元情報処理装置識別情報を取得し、これらに送信日時を示す日時情報を対応付けたファクシミリ依頼情報を、内部ネットワーク２を介して、親機３０１０に送信する。
【００９６】
図２２は、変形例３の親機３０１０の機能構成の一例を示すブロック図である。図２２に示すように、変形例３の親機３０１０では、第１の受信部３１２１、登録部３１２５、転送情報記憶部３１２７、削除部３１２９、及び第２の送信部３１３３が上記実施形態と相違する。
【００９７】
第１の受信部３１２１は、子機３０２０のいずれかから、内部ネットワーク２を介して、第１の画像、第１の画像の送信先を示す送信先情報、第１の画像の送信元となる子機２０を示す送信元情報処理装置識別情報、返信要否情報、及び日時情報を対応付けたファクシミリ依頼情報を受信する。返信要否情報は、第１の画像のファクシミリ送信に対する返信を受け付けるか否かを示し、日時情報は、子機３０２０がファクシミリ依頼情報を送信した日時を示す。
【００９８】
登録部３１２５は、第１の受信部３１２１により受信されたファクシミリ依頼情報に含まれる返信要否情報が返信要を示す場合、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、当該ファクシミリ依頼情報に含まれる日時情報と、を対応付けた転送情報を転送情報記憶部３１２７に登録する。なお、登録部３１２５は、返信要否情報が返信不要を示す場合、転送情報を転送情報記憶部３１２７に登録しない。
【００９９】
図２３は、変形例３の転送情報記憶部３１２７に記憶された転送リストの一例を示す図であり、５組の転送情報で構成されている。図２３に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスであり、子機の送信日時がファクシミリ依頼情報に含まれる日時情報となっている。なお、図２３に示す例においても、５行目の転送情報は、図５に示すファクシミリ依頼情報に基づいて登録されたものである。
【０１００】
なお登録部３１２５は、第１の送信部１２３によるファクシミリ送信が行われる毎に、第１の受信部３１２１により受信されたファクシミリ依頼情報に基づく転送情報を転送情報記憶部３１２７に登録する。
【０１０１】
第２の送信部３１３３は、転送情報記憶部３１２７に登録されている転送情報において、第２の送信元情報が示す送信元と一致する送信元を示す第１の送信元情報が複数存在する場合、第２の画像を、内部ネットワーク２を介して、複数の第１の送信元情報それぞれに対応付けられた日時情報のうち最も古い日時を示す日時情報に対応付けられた転送先情報処理装置識別情報が示す子機３０２０に送信する。
【０１０２】
例えば、第２の受信部１３１により受信された第２の送信元情報が「０３ｘｘｘｘｘｘｘｘ」であり、転送情報記憶部３１２７に登録された転送情報が図２３に示す通りであるとする。この場合、第２の送信部３１３３は、図２３に示す例において、送信元ファクシミリ番号が「０３ｘｘｘｘｘｘｘｘ」である３〜５行目の転送情報に含まれる子機の送信日時である「２０１４／１１／２０  １２：００：００」、「２０１４／１１／２２  １０：００：００」、「２０１４／１１／２５  １４：００：００」のうち最も古い日時である「２０１４／１１／２０  １２：００：００」に対応付けられた転送先子機アドレスである「１００．１０１．１０２．１０３」が示す子機３０２０に第２の画像を送信する。
【０１０３】
削除部３１２９は、第２の送信部３１３３により転送情報を用いた返信が行われた場合、当該転送情報を転送情報記憶部３１２７から削除する。例えば、第２の送信部３１３３により、図２３に示す例において、３行目の転送情報を用いた返信が行われた場合、削除部３１２９は、３行目の転送情報を転送情報記憶部３１２７から削除する。
【０１０４】
図２４は、変形例３の親機３０１０で実行される登録処理の一例を示すフローチャート図である。
【０１０５】
第１の受信部３１２１により受信されたファクシミリ依頼情報に含まれる返信要否情報（ｒｐｌ＿ｏｎ）が返信要（１）を示す場合（ステップＳ３０１でＹｅｓ）、登録部３１２５は、当該ファクシミリ依頼情報に含まれる送信先ファクシミリ番号（ｄｓｔ）を送信元ファクシミリ番号、当該ファクシミリ依頼情報に含まれる送信元子機アドレス（ａｄｒ）を転送先子機アドレスとした転送情報の行を転送リストに追加登録する（ステップＳ３０３）。
【０１０６】
一方、ステップＳ３０１でＮｏの場合、ステップＳ３０３の処理は行われない。
【０１０７】
図２５は、変形例３の親機３０１０で実行される転送処理の一例を示すフローチャート図である。
【０１０８】
まず、第２の送信部３１３３は、転送情報記憶部３１２７に記憶された転送リストから、送信元ファクシミリ番号が、第２の受信部１３１により受信された送信元ファクシミリ番号（ｓｅｎｄｅｒ）と一致する転送情報の行を、子機３０２０の送信日時の古い順に検索する（ステップＳ３１１）。ここでは、転送リストには、子機３０２０の送信日時の古い順に転送情報が並べられているため、転送情報を上から順に検索すれば、子機３０２０の送信日時の古い順に転送情報が検索されるものとする。
【０１０９】
送信元ファクシミリ番号が、第２の受信部１３１により受信された送信元ファクシミリ番号（ｓｅｎｄｅｒ）と一致する転送情報の行が見つかった場合（ステップＳ３１３でＹｅｓ）、第２の送信部３１３３は、見つかった転送情報の行の転送先子機アドレスを第２の受信部１３１により受信された受信画像の転送先（ａｄｒ）に設定し（ステップＳ３１５）、転送先（ａｄｒ）に設定された転送先子機アドレスが示す子機３０２０に当該受信画像を転送する（ステップＳ３１７）。
【０１１０】
続いて、削除部３１２９は、第２の送信部３１３３により返信に用いられた（検索された）転送情報を転送情報記憶部３１２７から削除する（ステップＳ３１９）。
【０１１１】
なお、ステップＳ３１３でＮｏの場合、処理は終了となる。
【０１１２】
以上のように変形例３では、子機３０２０が送信先からの返信ファクシミリを受信するか否かを親機３０１０に指定できるので、当該子機３０２０は、返信が必要な場合に、返信ファクシミリを受信できる。また、ファクシミリの返信は、送信日時の古い順に返ってくる確率が高いため、変形例３によれば、親機３０１０は、返信ファクシミリを適切な子機３０２０に転送することができる。
【０１１３】
（変形例４）
変形例４では、変形例３において、第２の画像（受信画像）と第１の画像（送信画像）との類似度を更に用いて、返信ファクシミリ（第２の画像）の転送先の子機を決定する例について説明する。以下では、変形例３との相違点の説明を主に行い、変形例３と同様の機能を有する構成要素については、変形例３と同様の名称・符号を付し、その説明を省略する。
【０１１４】
図２６は、変形例４のファクシミリシステム４００１の親機４０１０の機能構成の一例を示すブロック図である。図２６に示すように、変形例４の親機４０１０では、登録部４１２５、転送情報記憶部４１２７、及び第２の送信部４１３３が変形例３と相違する。
【０１１５】
登録部４１２５は、第１の送信部１２３によるファクシミリ送信が行われる毎に、第１の受信部３１２１により受信されたファクシミリ依頼情報に含まれる返信要否情報が返信要を示す場合、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、当該ファクシミリ依頼情報に含まれる日時情報と、当該ファクシミリ依頼情報に含まれる第１の画像と、を対応付けた転送情報を転送情報記憶部４１２７に登録する。
【０１１６】
図２７は、変形例４の転送情報記憶部４１２７に記憶された転送リストの一例を示す図であり、５組の転送情報で構成されている。図２７に示す例では、送信元ファクシミリ番号（第１の送信元情報）が送信元の外部ファクシミリ装置３０のファクシミリ番号であり、転送先子機アドレス（転送先情報処理装置識別情報）が転送先の子機３０２０のＩＰアドレスであり、子機の送信日時がファクシミリ依頼情報に含まれる日時情報であり、送信画像がファクシミリ依頼情報に含まれる第１の画像となっている。なお、図２７に示す例においても、５行目の転送情報は、図５に示すファクシミリ依頼情報に基づいて登録されたものである。
【０１１７】
第２の送信部４１３３は、転送情報記憶部４１２７に登録されている転送情報において、第２の送信元情報が示す送信元と一致する送信元を示す第１の送信元情報が複数存在する場合、第２の画像を、内部ネットワーク２を介して、複数の第１の送信元情報それぞれに対応付けられた第１の画像のうち第２の画像との類似度が閾値を超えた１以上の第１の画像それぞれに対応付けられた転送先情報処理装置識別情報であって、対応付けられた日時情報が最も古い日時を示す転送先情報処理装置識別情報が示す子機３０２０に送信する。
【０１１８】
例えば、第２の受信部１３１により受信された第２の送信元情報が「０３ｘｘｘｘｘｘｘｘ」、第２の画像（受信画像）が、「画像Ｇ」であり、転送情報記憶部４１２７に登録された転送情報が図２７に示す通りであるとする。この場合、第２の送信部４１３３は、図２７に示す例において、送信元ファクシミリ番号が「０３ｘｘｘｘｘｘｘｘ」である３〜５行目の転送情報に含まれる送信画像（第１の画像）である「画像Ｄ」、「画像Ｅ」、「画像Ｆ」それぞれと、「画像Ｇ」との類似度を算出する。類似度の算出手法は、パターンマッチングなど公知の手法を用いればよい。ここでは、「画像Ｄ」と「画像Ｇ」との類似度、及び「画像Ｆ」と「画像Ｇ」との類似度が閾値を超えるとする。このため、第２の送信部４１３３は、送信画像である「画像Ｄ」、「画像Ｆ」に対応付けられた子機の送信日時である「２０１４／１１／２０  １２：００：００」、「２０１４／１１／２５  １４：００：００」のうち最も古い日時である「２０１４／１１／２０  １２：００：００」に対応付けられた転送先子機アドレスである「１００．１０１．１０２．１０３」が示す子機３０２０に第２の画像を送信する。
【０１１９】
図２８は、変形例４の親機４０１０で実行される転送処理の一例を示すフローチャート図である。
【０１２０】
まず、第２の送信部４１３３は、転送情報記憶部４１２７に記憶された転送リストから、送信元ファクシミリ番号が、第２の受信部１３１により受信された送信元ファクシミリ番号（ｓｅｎｄｅｒ）と一致する転送情報の行を、子機３０２０の送信日時の古い順に検索する（ステップＳ４０１）。ここでは、転送リストには、子機３０２０の送信日時の古い順に転送情報が並べられているため、転送情報を上から順に検索すれば、子機３０２０の送信日時の古い順に転送情報が検索されるものとする。
【０１２１】
送信元ファクシミリ番号が、第２の受信部１３１により受信された送信元ファクシミリ番号（ｓｅｎｄｅｒ）と一致する転送情報の行が見つかった場合（ステップＳ４０３でＹｅｓ）、第２の送信部４１３３は、見つかった転送情報の行の転送先子機アドレスを第２の受信部１３１により受信された受信画像の転送先（ａｄｒ）に設定し（ステップＳ４０５）、当該受信画像と見つかった転送情報の行の送信画像との類似度（ｐｏｉｎｔ）を算出する（ステップＳ４０７）。
【０１２２】
続いて、第２の送信部４１３３は、算出した類似度（ｐｏｉｎｔ）が閾値よりも大きい場合（ステップＳ４０９でＹｅｓ）、転送先（ａｄｒ）に設定された転送先子機アドレスが示す子機３０２０に受信画像を転送する（ステップＳ４１１）。
【０１２３】
続いて、削除部３１２９は、第２の送信部４１３３により返信に用いられた（検索された）転送情報を転送情報記憶部４１２７から削除する（ステップＳ４１３）。
【０１２４】
一方、ステップＳ４０９でＮｏの場合、第２の送信部４１３３は、転送情報記憶部４１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ４１５）、ステップＳ４０３へ戻る。
【０１２５】
ステップＳ４０３でＹｅｓの場合、ステップＳ４０５へ進み、ステップＳ４０３でＮｏの場合、処理は終了となる。
【０１２６】
ファクシミリの返信は、送信日時の古い順に返ってくる確率が高いが、必ずしもこの順番とは限らない。また、ファクシミリの返信は、送信されたファクシミリに対し、コメントなどを加筆して返信することが多いため、受信画像は送信画像と類似することが多い。このため、変形例４によれば、親機４０１０は、返信ファクシミリを適切な子機３０２０に転送することができる。
【０１２７】
（変形例５）
変形例５では、変形例３において、子機が、送信ファクシミリに対する返信ファクシミリを受信したか否かを親機に通知する例について説明する。以下では、変形例３との相違点の説明を主に行い、変形例３と同様の機能を有する構成要素については、変形例３と同様の名称・符号を付し、その説明を省略する。
【０１２８】
図２９は、変形例５のファクシミリシステム５００１の親機５０１０の機能構成の一例を示すブロック図である。図２９に示すように、変形例５の親機５０１０では、第１の受信部５１２１、削除部５１２９、及び第２の送信部５１３３が変形例３と相違する。
【０１２９】
第１の受信部５１２１は、第２の送信部５１３３により第２の画像が送信された子機５０２０から、内部ネットワーク２を介して、返信が完了したか否かを示す返信結果情報を更に受信する。
【０１３０】
削除部５１２９は、転送情報を用いた返信が行われ、かつ第１の受信部５１２１により受信された返信結果情報が返信完了を示す場合に、当該転送情報を転送情報記憶部３１２７から削除する。
【０１３１】
第２の送信部５１３３は、転送情報記憶部３１２７に登録されている転送情報において、第２の送信元情報が示す送信元と一致する送信元を示す第１の送信元情報が複数存在する場合、第２の画像とともに返信が完了したか否かを確認する返信確認情報を、内部ネットワーク２を介して、複数の第１の送信元情報それぞれに対応付けられた日時情報のうち最も古い日時を示す日時情報に対応付けられた転送先情報処理装置識別情報が示す子機５０２０に送信する。
【０１３２】
なお第２の送信部５１３３は、第１の受信部５１２１により受信された返信結果情報が返信未完了を示す場合、第２の画像とともに返信が完了したか否かを確認する返信確認情報を、内部ネットワーク２を介して、複数の第１の送信元情報それぞれに対応付けられた日時情報のうち、当該第２の画像を前回送信した子機５０２０を示す転送先情報処理装置識別情報に対応付けられた日時情報が示す日時の次に古い日時を示す日時情報に対応付けられた転送先情報処理装置識別情報が示す子機５０２０に送信する。
【０１３３】
例えば、第２の受信部１３１により受信された第２の送信元情報が「０３ｘｘｘｘｘｘｘｘ」であり、転送情報記憶部３１２７に登録された転送情報が図２３に示す通りであり、第２の送信部５１３３は、子機の送信日時「２０１４／１１／２０  １２：００：００」に対応付けられた転送先子機アドレスである「１００．１０１．１０２．１０３」が示す子機５０２０に第２の画像を送信し、第１の受信部５１２１により当該子機５０２０から受信された返信結果情報が返信未完了を示すとする。この場合、第２の送信部５１３３は、図２３に示す例において、送信元ファクシミリ番号が「０３ｘｘｘｘｘｘｘｘ」である３〜５行目の転送情報に含まれる子機の送信日時である「２０１４／１１／２０  １２：００：００」、「２０１４／１１／２２  １０：００：００」、「２０１４／１１／２５  １４：００：００」のうち、前回の日時である「２０１４／１１／２０  １２：００：００」の次に古い日時である「２０１４／１１／２２  １０：００：００」に対応付けられた転送先子機アドレスである「５５．６６．７７．８８」が示す子機５０２０に第２の画像を送信する。
【０１３４】
但し、第２の送信部５１３３は、第１の受信部５１２１により受信された返信未完了を示す返信結果情報を送信した子機５０２０が、複数の第１の送信元情報それぞれに対応付けられた日時情報のうち最新の日時を示す日時情報に対応付けられた転送先情報処理装置識別情報が示す子機５０２０である場合、第２の画像を、内部ネットワーク２を介して、予め定められた（デフォルトの）子機５０２０であって当該第２の画像を未送信の子機５０２０に送信するようにしてもよい。
【０１３５】
例えば、第２の受信部１３１により受信された第２の送信元情報が「０３ｘｘｘｘｘｘｘｘ」であり、転送情報記憶部３１２７に登録された転送情報が図２３に示す通りであり、第２の送信部５１３３は、子機の送信日時「２０１４／１１／２５  １４：００：００」に対応付けられた転送先子機アドレスである「１１．２２．３３．４４」が示す子機５０２０に第２の画像を送信し、第１の受信部５１２１により当該子機５０２０から受信された返信結果情報が返信未完了を示すとする。この場合、第２の送信部５１３３は、第２の画像を、予め定められた（デフォルトの）子機５０２０であって当該第２の画像を未送信の子機５０２０に送信するようにしてもよい。但し、第２の送信部５１３３は、予め定められた（デフォルトの）子機５０２０には、返信確認情報を送信しないものとする。
【０１３６】
図３０は、変形例５の子機５０２０の機能構成の一例を示すブロック図である。図３０に示すように、変形例５の子機５０２０では、入力部５２２１、表示部５２２３、送信部５２２９、及び受信部５２３１が変形例３と相違する。
【０１３７】
受信部５２３１は、親機５０１０から、内部ネットワーク２を介して、第２の画像とともに返信確認情報を受信し、表示部５２２３に図３１に示すような返信確認画面を表示させる。子機５０２０のユーザは、返信確認画面においてプレビューを表示させたり、印刷部２３３に印刷を実行させたりすることで、第２の画像が返信ファクシミリか否かを確認する。入力部５２２１は、返信確認画面において、受信部５２３１により受信された第２の画像が返信ファクシミリであれば、ユーザ操作に基づいて返信受信完了を入力し、返信ファクシミリでなければ、ユーザ操作に基づいて返信未受信を入力することで、返信結果情報を入力する。送信部５２２９は、入力部５２２１により入力された返信結果情報を取得し、内部ネットワーク２を介して、親機５０１０に送信する。
【０１３８】
図３２は、変形例５の親機５０１０で実行される受信画像受信時の転送処理の一例を示すフローチャート図である。
【０１３９】
まず、第２の送信部５１３３は、転送情報記憶部３１２７に記憶された転送リストから、送信元ファクシミリ番号が、第２の受信部１３１により受信された送信元ファクシミリ番号（ｓｅｎｄｅｒ）と一致する転送情報の行を、子機５０２０の送信日時の古い順に全て検索する（ステップＳ５０１）。ここでは、転送リストには、子機５０２０の送信日時の古い順に転送情報が並べられているため、転送情報を上から順に検索すれば、子機５０２０の送信日時の古い順に転送情報が検索されるものとする。
【０１４０】
送信元ファクシミリ番号が、第２の受信部１３１により受信された送信元ファクシミリ番号（ｓｅｎｄｅｒ）と一致する転送情報の行が見つかった場合（ステップＳ５０３でＹｅｓ）、第２の送信部５１３３は、見つかった転送情報の行を送信日時の古い順に並べ、問合せ状況を追加した返信確認リストを生成する（ステップＳ５０５）。
【０１４１】
図３３は、変形例５の返信確認リストの一例を示す図であり、第２の受信部１３１により受信された第２の送信元情報が「０３ｘｘｘｘｘｘｘｘ」であり、転送情報記憶部３１２７に登録された転送情報が図２３に示す通りである場合の返信確認リストを示している。なお、返信確認リストの生成時は、問合せ状況は空である。
【０１４２】
続いて、第２の送信部５１３３は、返信確認リストの子機５０２０の送信日時が最も古い行の転送先子機アドレスを第２の受信部１３１により受信された受信画像の転送先（ａｄｒ）に設定し（ステップＳ５０７）、転送先（ａｄｒ）に設定された転送先子機アドレスが示す子機５０２０に当該受信画像を転送する（ステップＳ５０９）。
【０１４３】
続いて、第２の送信部５１３３は、返信確認リストの子機５０２０の送信日時が最も古い行の問合せ状況を問合せ中に設定する（ステップＳ５１１）。
【０１４４】
一方、ステップＳ５０３でＮｏの場合、第２の送信部５１３３は、デフォルトの子機５０２０の転送先子機アドレスを第２の受信部１３１により受信された受信画像の転送先（ａｄｒ）に設定し（ステップＳ５１３）、転送先（ａｄｒ）に設定された転送先子機アドレスが示す子機５０２０に当該受信画像を転送する（ステップＳ５１５）。
【０１４５】
図３４は、変形例５の親機５０１０で実行される返信結果情報受信時の転送処理の一例を示すフローチャート図である。
【０１４６】
まず、第２の送信部５１３３は、受信画像が送信された子機５０２０から送信され、第１の受信部５１２１により受信された返信結果情報が返信未完了を示す場合（ステップＳ５２１でＮｏ）、返信確認リストの問合せ中を示す問合せ状況を未返信に更新する（ステップＳ５２３）。
【０１４７】
続いて、第２の送信部５１３３は、返信確認リストの問合せ状況が未返信に更新された行の子機５０２０の送信日時が最新でなければ（ステップＳ５２５でＮｏ）、返信確認リストの問合せ状況が未返信に更新された行の次に子機５０２０の送信日時が古い行の転送先子機アドレスを第２の受信部１３１により受信された受信画像の転送先（ａｄｒ）に設定し（ステップＳ５２７）、転送先（ａｄｒ）に設定された転送先子機アドレスが示す子機５０２０に当該受信画像を転送する（ステップＳ５２９）。
【０１４８】
続いて、第２の送信部５１３３は、返信確認リストの問合せ状況が未返信に更新された行の次に子機５０２０の送信日時が古い行の問合せ状況を問合せ中に設定する（ステップＳ５３１）。
【０１４９】
一方、ステップＳ５２１でＹｅｓの場合、第２の送信部５１３３は、返信確認リストを削除し、削除部５１２９は、返信確認リストの問合せ状況が問合せ中を示す行と一致する（送信元ファクシミリ番号、転送先子機アドレス、及び子機の送信日時が一致する）転送リストの転送情報の行を、転送情報記憶部３１２７から削除する（ステップＳ５３３）。
【０１５０】
また、ステップＳ５２５でＹｅｓの場合、第２の送信部５１３３は、返信確認リストの転送先子機アドレスにデフォルトの子機５０２０の転送先子機アドレスが含まれていれば（ステップＳ５３５でＹｅｓ）、返信確認リストを削除して処理を終了する。
【０１５１】
一方、第２の送信部５１３３は、返信確認リストの転送先子機アドレスにデフォルトの子機５０２０の転送先子機アドレスが含まれていなければ（ステップＳ５３５でＮｏ）、デフォルトの子機５０２０の転送先子機アドレスを第２の受信部１３１により受信された受信画像の転送先（ａｄｒ）に設定し（ステップＳ５３７）、転送先（ａｄｒ）に設定された転送先子機アドレスが示す子機５０２０に当該受信画像を転送し（ステップＳ５３７）、返信確認リストを削除する。
【０１５２】
変形例５によれば、親機５０１０は、子機５０２０から返信完了が通知されるまで、転送情報を削除しないため、子機５０２０は、返信ファクシミリを確実に受信することができる。
【０１５３】
（変形例６）
変形例６では、親機が子機に対して予め定められた用途の排紙先を更に指定する例について説明する。以下では、上記実施形態との相違点の説明を主に行い、上記実施形態と同様の機能を有する構成要素については、上記実施形態と同様の名称・符号を付し、その説明を省略する。
【０１５４】
図３５は、変形例６のファクシミリシステム６００１の親機６０１０の機能構成の一例を示すブロック図である。図３５に示すように、変形例６の親機６０１０では、登録部６１２５、転送情報記憶部６１２７、第２の送信部６１３３、及び排紙先用途情報記憶部６１３５が上記実施形態と相違する。
【０１５５】
排紙先用途情報記憶部６１３５は、子機２０毎に当該子機２０の１以上の排紙先及び当該１以上の排紙先それぞれの用途を示す排紙先用途情報を記憶する。
【０１５６】
登録部６１２５は、第１の受信部１２１により受信されたファクシミリ依頼情報を送信した子機２０の排紙先用途情報を排紙先用途情報記憶部６１３５から取得し、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、取得した排紙先用途情報と、を対応付けた転送情報を転送情報記憶部６１２７に登録する。
【０１５７】
図３６は、変形例６の転送情報記憶部６１２７に記憶された転送リストの一例を示す図であり、５組の転送情報で構成されている。図３６に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスであり、排紙先用途が排紙先用途情報記憶部６１３５から取得された排紙先用途情報となっている。排紙先用途は、図３６に示すように、プリンタ出力やファクシミリ出力などが挙げられるが、これらに限定されるものではない。なお、図３６に示す例においても、５行目の転送情報は、図５に示すファクシミリ依頼情報に基づいて登録されたものである。
【０１５８】
第２の送信部６１３３は、第２の送信元情報が示す送信元と転送情報記憶部６１２７に登録されている転送情報に含まれる第１の送信元情報が示す送信元とが一致する場合に、当該転送情報に含まれる排紙先用途情報が示す１以上の排紙先のうちの予め定められた用途の排紙先を指定して、第２の画像を転送先情報処理装置識別情報が示す子機２０に送信する。変形例６では、予め定められた用途の排紙先は、ファクシミリ出力用のトレイを想定しているが、これに限定されるものではない。
【０１５９】
図３７は、変形例６の親機６０１０で実行される転送処理の一例を示すフローチャート図である。
【０１６０】
まず、第２の送信部６１３３は、転送情報記憶部６１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ６０１）。
【０１６１】
送信元ファクシミリ番号が、第２の受信部１３１により受信された送信元ファクシミリ番号（ｓｅｎｄｅｒ）と一致する転送情報の行が見つかった場合（ステップＳ６０３でＹｅｓ）、第２の送信部６１３３は、見つかった転送情報の行の転送先子機アドレスを第２の受信部１３１により受信された受信画像の転送先（ａｄｒ）に設定する（ステップＳ６０５）。
【０１６２】
続いて、第２の送信部６１３３は、見つかった転送情報の行の排紙先用途情報がファクシミリ出力用のトレイ（排紙先）を示す場合（ステップＳ６０７でＹｅｓ）、当該ファクシミリ出力用のトレイを第２の受信部１３１により受信された受信画像の出力先（ｔｒａｙ）に設定する（ステップＳ６０９）。
【０１６３】
但し、ステップＳ６０７でＮｏの場合、ステップＳ６０９の処理は行われず、第２の受信部１３１により受信された受信画像の出力先（ｔｒａｙ）は、デフォルト設定となる。
【０１６４】
続いて、第２の送信部６１３３は、転送先（ａｄｒ）に設定された転送先子機アドレスが示す子機２０に出力先（ｔｒａｙ）を指定して、受信画像を転送する（ステップＳ６１１）。
【０１６５】
続いて、第２の送信部６１３３は、転送情報記憶部６１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ６１３）、ステップＳ６０３へ戻る。
【０１６６】
ステップＳ６０３でＹｅｓの場合、ステップＳ６０５へ進み、ステップＳ６０３でＮｏの場合、処理は終了となる。
【０１６７】
変形例６によれば、子機２０でファクシミリ出力用のトレイが設定されている場合、当該トレイに受信ファクシミリを出力させることができる。
【０１６８】
（変形例７）
変形例７では、親機が子機に対して第２の画像（受信画像）の解析結果に応じた排紙先を更に指定する例について説明する。以下では、上記実施形態との相違点の説明を主に行い、上記実施形態と同様の機能を有する構成要素については、上記実施形態と同様の名称・符号を付し、その説明を省略する。
【０１６９】
図３８は、変形例７のファクシミリシステム７００１の親機７０１０の機能構成の一例を示すブロック図である。図３８に示すように、変形例７の親機７０１０では、登録部７１２５、転送情報記憶部７１２７、第２の送信部７１３３、及び排紙先情報記憶部７１３５が上記実施形態と相違する。
【０１７０】
排紙先情報記憶部７１３５は、子機２０毎に当該子機２０の１以上の排紙先を示す排紙先情報を記憶する。
【０１７１】
登録部７１２５は、第１の受信部１２１により受信されたファクシミリ依頼情報を送信した子機２０の排紙先情報を排紙先情報記憶部７１３５から取得し、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、取得した排紙先情報と、を対応付けた転送情報を転送情報記憶部７１２７に登録する。
【０１７２】
図３９は、変形例７の転送情報記憶部７１２７に記憶された転送リストの一例を示す図であり、５組の転送情報で構成されている。図３９に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスであり、排紙先が排紙先情報記憶部７１３５から取得された排紙先情報となっている。排紙先は、図３９に示すように、鍵付きトレイや通常の（鍵無し）のトレイなどが挙げられるが、これらに限定されるものではない。なお、図３９に示す例においても、５行目の転送情報は、図５に示すファクシミリ依頼情報に基づいて登録されたものである。
【０１７３】
第２の送信部７１３３は、第２の画像を解析し、第２の送信元情報が示す送信元と転送情報記憶部７１２７に登録されている転送情報に含まれる第１の送信元情報が示す送信元とが一致する場合に、当該転送情報に含まれる排紙先情報が示す１以上の排紙先のうちの予め定められた排紙先を指定して、当該第２の画像を転送先情報処理装置識別情報が示す子機２０に送信する。
【０１７４】
例えば、第２の送信部７１３３は、第２の画像にＯＣＲ（Optical  Character  Recognition）処理を施し、当該第２の画像の機密性を解析する。この場合、第２の送信部７１３３は、「機密」、「社外秘」、及び「秘」など機密であることを示す言葉が見つかれば、機密性ありと判断する。そして第２の送信部７１３３は、機密性ありと判断した場合、転送情報に含まれる排紙先情報が示す１以上の排紙先のうちの鍵付きのトレイを指定して、第２の画像を転送先情報処理装置識別情報が示す子機２０に送信する。
【０１７５】
図４０は、変形例７の親機７０１０で実行される転送処理の一例を示すフローチャート図である。
【０１７６】
まず、第２の送信部７１３３は、転送情報記憶部７１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ７０１）。
【０１７７】
送信元ファクシミリ番号が、第２の受信部１３１により受信された送信元ファクシミリ番号（ｓｅｎｄｅｒ）と一致する転送情報の行が見つかった場合（ステップＳ７０３でＹｅｓ）、第２の送信部７１３３は、見つかった転送情報の行の転送先子機アドレスを第２の受信部１３１により受信された受信画像の転送先（ａｄｒ）に設定する（ステップＳ７０５）。
【０１７８】
続いて、第２の送信部７１３３は、第２の受信部１３１により受信された受信画像に機密性がある場合（ステップＳ７０７でＹｅｓ）、見つかった転送情報の行の排紙先情報が機密保持用の鍵付きのトレイ（排紙先）を示せば（ステップＳ７０９でＹｅｓ）、当該機密保持用の鍵付きのトレイを第２の受信部１３１により受信された受信画像の出力先（ｔｒａｙ）に設定する（ステップＳ７１１）。なお、第２の送信部７１３３は、第２の受信部１３１により受信された受信画像に機密性があるか否かは、ステップＳ７０１の前に予め解析しておいてもよいし、ステップＳ７０７の時点で解析してもよい。
【０１７９】
但し、ステップＳ７０７でＮｏの場合、ステップＳ７０９及びＳ７１１の処理は行われず、第２の受信部１３１により受信された受信画像の出力先（ｔｒａｙ）は、デフォルト設定となる。
【０１８０】
続いて、第２の送信部７１３３は、転送先（ａｄｒ）に設定された転送先子機アドレスが示す子機２０に出力先（ｔｒａｙ）を指定して、受信画像を転送する（ステップＳ７１３）。
【０１８１】
但し、ステップＳ７０９でＮｏの場合、ステップＳ７１１及びＳ７１３の処理は行われず、第２の受信部１３１により受信された受信画像は、転送先（ａｄｒ）に設定された転送先子機アドレスが示す子機２０に転送されない。
【０１８２】
続いて、第２の送信部７１３３は、転送情報記憶部７１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ７１５）、ステップＳ７０３へ戻る。
【０１８３】
ステップＳ７０３でＹｅｓの場合、ステップＳ７０５へ進み、ステップＳ７０３でＮｏの場合、処理は終了となる。
【０１８４】
変形例７によれば、子機２０に機密保持用のトレイがある場合、機密性のある受信ファクシミリを当該トレイに出力させ、子機２０に機密保持用のトレイがない場合、機密性のある受信ファクシミリを当該子機２０に転送しないので、機密を保持することができる。
【０１８５】
（変形例８）
変形例８では、親機が子機に対して受信ファクシミリを印刷する用紙の用紙サイズを更に指定する例について説明する。以下では、上記実施形態との相違点の説明を主に行い、上記実施形態と同様の機能を有する構成要素については、上記実施形態と同様の名称・符号を付し、その説明を省略する。
【０１８６】
図４１は、変形例８のファクシミリシステム８００１の親機８０１０の機能構成の一例を示すブロック図である。図４１に示すように、変形例８の親機８０１０では、登録部８１２５、転送情報記憶部８１２７、第２の送信部８１３３、及び用紙サイズ情報記憶部８１３５が上記実施形態と相違する。
【０１８７】
用紙サイズ情報記憶部８１３５は、子機２０毎に当該子機２０で印刷可能な１以上の用紙サイズを示す用紙サイズ情報を記憶する。
【０１８８】
登録部８１２５は、第１の受信部１２１により受信されたファクシミリ依頼情報を送信した子機２０の用紙サイズ情報を用紙サイズ情報記憶部８１３５から取得し、当該ファクシミリ依頼情報に含まれる送信先情報が示す送信先を送信元とする第１の送信元情報と、当該ファクシミリ依頼情報に含まれる送信元情報処理装置識別情報が示す情報処理装置を転送先とする転送先情報処理装置識別情報と、取得した用紙サイズ情報と、を対応付けた転送情報を転送情報記憶部８１２７に登録する。
【０１８９】
図４２は、変形例８の転送情報記憶部８１２７に記憶された転送リストの一例を示す図であり、５組の転送情報で構成されている。図４２に示す例では、送信元ファクシミリ番号（第１の送信元情報）が送信元の外部ファクシミリ装置３０のファクシミリ番号であり、転送先子機アドレス（転送先情報処理装置識別情報）が転送先の子機２０のＩＰアドレスであり、用紙サイズが用紙サイズ情報記憶部８１３５から取得された用紙サイズ情報となっている。用紙サイズは、図４２に示すように、Ａ４やＡ３などが挙げられるが、これらに限定されるものではない。なお、図４２に示す例においても、５行目の転送情報は、図５に示すファクシミリ依頼情報に基づいて登録されたものである。
【０１９０】
第２の送信部８１３３は、第２の送信元情報が示す送信元と転送情報記憶部８１２７に登録されている転送情報に含まれる第１の送信元情報が示す送信元とが一致する場合に、当該転送情報に含まれる用紙サイズ情報を用いて、転送先情報処理装置識別情報が示す子機２０が第２の画像に対応する用紙サイズで印刷可能か否かを判定する。そして第２の送信部８１３３は、印刷可能な場合、第２の画像に対応する用紙サイズを指定して、第２の画像を当該子機２０に送信する。
【０１９１】
例えば、第２の受信部１３１により受信された第２の送信元情報が「０４５ｚｚｚｚｚｚｚ」であり、転送情報記憶部８１２７に登録された転送情報が図４２に示す通りであり、第２の画像に対応する用紙サイズが「Ａ４」であるとする。この場合、第２の送信部８１３３は、図４２に示す例において、送信元ファクシミリ番号が「０４５ｚｚｚｚｚｚｚ」である２行目の転送情報に含まれる転送先子機アドレスである「１１．２２．３３．４４」が示す子機２０に、「Ａ４」での印刷を指定して受信画像を送信する。
【０１９２】
図４３は、変形例８の親機８０１０で実行される転送処理の一例を示すフローチャート図である。
【０１９３】
まず、第２の送信部８１３３は、転送情報記憶部８１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ８０１）。
【０１９４】
送信元ファクシミリ番号が、第２の受信部１３１により受信された送信元ファクシミリ番号（ｓｅｎｄｅｒ）と一致する転送情報の行が見つかった場合（ステップＳ８０３でＹｅｓ）、第２の送信部８１３３は、見つかった転送情報の行の転送先子機アドレスを第２の受信部１３１により受信された受信画像の転送先（ａｄｒ）に設定する（ステップＳ８０５）。
【０１９５】
続いて、第２の送信部８１３３は、見つかった転送情報の行の用紙サイズ情報が受信画像に対応する（と同じ）用紙サイズを示す場合（ステップＳ８０７でＹｅｓ）、当該受信画像に対応する用紙サイズを第２の受信部１３１により受信された受信画像を印刷する用紙の用紙サイズ（ｓｉｚｅ）に設定する（ステップＳ８０９）。
【０１９６】
続いて、第２の送信部８１３３は、転送先（ａｄｒ）に設定された転送先子機アドレスが示す子機２０に用紙サイズ（ｓｉｚｅ）を指定して、受信画像を転送する（ステップＳ８１１）。
【０１９７】
但し、ステップＳ８０７でＮｏの場合、ステップＳ８０９の処理は行われず、第２の受信部１３１により受信された受信画像の用紙サイズ（ｓｉｚｅ）は、デフォルト設定となる。
【０１９８】
続いて、第２の送信部８１３３は、転送情報記憶部８１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ８１３）、ステップＳ８０３へ戻る。
【０１９９】
ステップＳ８０３でＹｅｓの場合、ステップＳ８０５へ進み、ステップＳ８０３でＮｏの場合、処理は終了となる。
【０２００】
変形例８によれば、子機２０が、受信画像に対応する用紙サイズで当該受信画像を印刷できる場合、当該用紙サイズで受信ファクシミリを印刷するので、縮小印刷や余白の発生を防ぎ、受信ファクシミリの視認性を向上できる。
【０２０１】
（変形例９）
変形例９では、変形例８において、子機が、受信画像に対応する用紙サイズで印刷できない場合、親機に対して受信画像に対応する用紙サイズで印刷可能な他の子機での印刷を指示する例について説明する。以下では、変形例８との相違点の説明を主に行い、変形例８と同様の機能を有する構成要素については、変形例８と同様の名称・符号を付し、その説明を省略する。
【０２０２】
図４４は、変形例９のファクシミリシステム９００１の親機９０１０の機能構成の一例を示すブロック図である。図４４に示すように、変形例９の親機９０１０では、第１の受信部９１２１、及び第２の送信部９１３３が変形例８と相違する。
【０２０３】
第２の送信部９１３３は、第２の送信元情報が示す送信元と転送情報記憶部８１２７に登録されている転送情報に含まれる第１の送信元情報が示す送信元とが一致する場合に、当該転送情報に含まれる用紙サイズ情報を用いて、転送先情報処理装置識別情報が示す子機２０が第２の画像に対応する用紙サイズで印刷可能か否かを判定する。印刷不可能な場合、第２の送信部９１３３は、子機９０２０それぞれの用紙サイズ情報を用紙サイズ情報記憶部８１３５から取得し、当該用紙サイズ情報を用いて、第２の画像に対応する用紙サイズで印刷可能な子機９０２０を特定する。そして第２の送信部９１３３は、特定した子機９０２０を示す印刷可能情報処理装置情報、及び転送先情報処理装置識別情報が示す子機９０２０で印刷可能な用紙サイズが第２の画像に対応する用紙サイズと不一致であることを示す不一致情報を、転送先情報処理装置識別情報が示す子機９０２０に送信する。
【０２０４】
例えば、第２の受信部１３１により受信された第２の送信元情報が「０６ｙｙｙｙｙｙｙｙ」であり、転送情報記憶部８１２７に登録された転送情報が図４２に示す通りであり、第２の画像に対応する用紙サイズが「Ａ３」であるとする。この場合、図４２に示す例において、送信元ファクシミリ番号が「０６ｙｙｙｙｙｙｙｙ」である１行目の転送情報に含まれる転送先子機アドレスである「１００．１０１．１０２．１０３」が示す子機９０２０は、「Ａ３」での印刷ができない。このため、第２の送信部９１３３は、「１００．１０１．１０２．１０３」が示す子機９０２０に対し、第２の画像、当該子機９０２０で印刷可能な用紙サイズが第２の画像に対応する用紙サイズと不一致であることを示す不一致情報、及び「Ａ３」での印刷が可能な子機９０２０の転送先子機アドレスである「１１．２２．３３．４４」及び「５５．６６．７７．８８」を送信する。
【０２０５】
第１の受信部９１２１は、第２の送信部９１３３により不一致情報が送信された子機９０２０から、内部ネットワーク２を介して、第２の画像の印刷を実行する子機９０２０を示す印刷実行情報処理装置情報を更に受信する。
【０２０６】
第２の送信部９１３３は、第２の画像に対応する用紙サイズを指定して、第２の画像を、内部ネットワーク２を介して、印刷実行情報処理装置情報が示す子機９０２０に送信する。
【０２０７】
図４５は、変形例９の子機９０２０の機能構成の一例を示すブロック図である。図４５に示すように、変形例９の子機９０２０では、入力部９２２１、表示部９２２３、送信部９２２９、及び受信部９２３１が変形例８と相違する。
【０２０８】
受信部９２３１は、親機９０１０から、内部ネットワーク２を介して、第２の画像とともに不一致情報及び印刷可能情報処理装置情報を受信する。そして受信部９２３１は、不一致情報に基づいて、表示部９２２３に、図４６に示すような、第２の画像を子機９０２０で印刷可能な用紙サイズに変倍して印刷するか、第２の画像に対応する用紙サイズで印刷可能な他の子機９０２０で印刷するかを選択する印刷選択画面を表示させる。
【０２０９】
入力部９２２１が、ユーザ操作に基づいて他の子機９０２０での印刷を選択すると、表示部９２２３は、印刷可能情報処理装置情報に基づいて、図４７に示すような、第２の画像に対応する用紙サイズで印刷可能な他の子機９０２０の一覧を示す一覧画面を表示する。そして入力部９２２１が、ユーザ操作に基づいて印刷を行う他の子機９０２０を選択することで、当該他の子機９０２０のアドレスを示す印刷実行情報処理装置情報を入力する。送信部９２２９は、入力部９２２１により入力された印刷実行情報処理装置情報を取得し、内部ネットワーク２を介して、親機９０１０に送信する。
【０２１０】
なお、印刷選択画面において、入力部９２２１が、ユーザ操作に基づいて変倍印刷を選択すると、印刷部２３３が第２の画像を変倍して印刷する。
【０２１１】
図４８は、変形例９の親機９０１０で実行される転送処理の一例を示すフローチャート図である。
【０２１２】
まず、第２の送信部９１３３は、転送情報記憶部８１２７に記憶された転送リストから、送信元ファクシミリ番号が、第２の受信部１３１により受信された送信元ファクシミリ番号（ｓｅｎｄｅｒ）と一致する転送情報の行を検索する（ステップＳ９０１）。
【０２１３】
送信元ファクシミリ番号が、第２の受信部１３１により受信された送信元ファクシミリ番号（ｓｅｎｄｅｒ）と一致する転送情報の行が見つかった場合（ステップＳ９０３でＹｅｓ）、第２の送信部９１３３は、見つかった転送情報の行の転送先子機アドレスを第２の受信部１３１により受信された受信画像の転送先（ａｄｒ）に設定する（ステップＳ９０５）。
【０２１４】
続いて、第２の送信部９１３３は、見つかった転送情報の行の用紙サイズ情報が受信画像に対応する（と同じ）用紙サイズを示す場合（ステップＳ９０７でＹｅｓ）、当該受信画像に対応する用紙サイズを第２の受信部１３１により受信された受信画像を印刷する用紙の用紙サイズ（ｓｉｚｅ）に設定する（ステップＳ９０９）。
【０２１５】
一方、ステップＳ９０７でＮｏの場合、第２の送信部９１３３は、サイズの不一致を第２の受信部１３１により受信された受信画像を印刷する用紙の用紙サイズ（ｓｉｚｅ）に設定し（ステップＳ９１１）、第２の画像に対応する用紙サイズで印刷可能な子機９０２０を示す印刷可能情報処理装置情報を生成する（ステップＳ９１２）。
【０２１６】
続いて、第２の送信部９１３３は、転送先（ａｄｒ）に設定された転送先子機アドレスが示す子機２０に用紙サイズ（ｓｉｚｅ）を指定して、受信画像を転送する（ステップＳ９１３）。なお、ステップＳ９０７でＮｏの場合、第２の送信部９１３３は、印刷可能情報処理装置情報も当該子機２０に転送する。
【０２１７】
続いて、第２の送信部９１３３は、転送情報記憶部８１２７に記憶された転送リストの未検索の転送情報の行から、送信元ファクシミリ番号が、第２の受信部１３１により受信された送信元ファクシミリ番号（ｓｅｎｄｅｒ）と一致する転送情報の行を検索し（ステップＳ９１５）、ステップＳ９０３へ戻る。
【０２１８】
ステップＳ９０３でＹｅｓの場合、ステップＳ９０５へ進み、ステップＳ９０３でＮｏの場合、処理は終了となる。
【０２１９】
図４９は、変形例９の親機９０１０で実行される印刷実行情報処理装置情報受信時の転送処理の一例を示すフローチャート図である。
【０２２０】
まず、第２の送信部９１３３は、第２の受信部１３１により受信された受信画像に対応する用紙サイズを、当該受信画像を印刷する用紙の用紙サイズ（ｓｉｚｅ）に設定する（ステップＳ９２１）。
【０２２１】
続いて、第２の送信部９１３３は、印刷実行情報処理装置情報（ａｄｒ）が示す子機２０に用紙サイズ（ｓｉｚｅ）を指定して、受信画像を転送する（ステップＳ９２３）。
【０２２２】
変形例９によれば、子機９０２０が、受信画像に対応する用紙サイズで当該受信画像を印刷できない場合でも、受信画像に対応する用紙サイズで印刷可能な他の子機９０２０で受信ファクシミリを印刷するので、縮小印刷や余白の発生を防ぎ、受信ファクシミリの視認性を向上できる。
【０２２３】
（プログラム）
上記実施形態及び各変形例の親機及び子機で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０２２４】
また、上記実施形態及び各変形例の親機及び子機で実行されるプログラムを、インターネット等のネットワークに接続されたコンピュータ上に格納し、ネットワーク経由でダウンロードさせることにより提供するようにしてもよい。また、上記実施形態及び各変形例の親機及び子機を、インターネット等のネットワーク経由で提供または配布するようにしてもよい。また、上記実施形態及び各変形例の親機及び子機で実行されるプログラムを、ＲＯＭ等に予め組み込んで提供するようにしてもよい。
【０２２５】
上記実施形態及び各変形例の親機及び子機で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【符号の説明】
【０２２６】
１、１００１、２００１、３００１、４００１、５００１、６００１、７００１、８００１、９００１  ファクシミリシステム
２  内部ネットワーク
３  外部ネットワーク
１０、１０１０、２０１０、３０１０、４０１０、５０１０、６０１０、７０１０、８０１０、９０１０  親機
２０−１〜２０−４（２０）、２０２０、３０２０、５０２０、９０２０  子機
３０−１、３０−２（３０）  外部ファクシミリ装置
１０１  スキャナ
１０２  プロッタ
１０３  エンジン制御部
１０４  ネットワーク制御部
１０５  ファクシミリ制御部
１０６  操作パネル
１０７  ＲＯＭ
１０８  ＲＡＭ
１０９  ＨＤＤ
１１０  ＣＰＵ
１２１、２１２１、３１２１、５１２１、９１２１  第１の受信部
１２３  第１の送信部
１２５、１１２５、２１２５、３１２５、４１２５、６１２５、７１２５、８１２５  登録部
１２７、１１２７、３１２７、４１２７、６１２７、７１２７、８１２７  転送情報記憶部
１２９、２１２９、３１２９、５１２９  削除部
１３１  第２の受信部
１３３、１１３３、３１３３、４１３３、５１３３、６１３３、７１３３、８１３３、９１３３  第２の送信部
２０１  スキャナ
２０２  プロッタ
２０３  エンジン制御部
２０４  ネットワーク制御部
２０６  操作パネル
２０７  ＲＯＭ
２０８  ＲＡＭ
２０９  ＨＤＤ
２１０  ＣＰＵ
２２１、２２２１、３２２１、５２２１、９２２１  入力部
２２３、２２２３、３２２３、５２２３、９２２３  表示部
２２５  記憶部
２２７  画像読取部
２２９、２２２９、３２２９、５２２９、９２２９  送信部
２３１、５２３１、９２３１  受信部
２３３  印刷部
６１３５  排紙先用途情報記憶部
７１３５  排紙先情報記憶部
８１３５  用紙サイズ情報記憶部
【先行技術文献】
【特許文献】
【０２２７】
【特許文献１】特開２０１４−１９２６０１号公報
【図１】
2016174242.tif 000003
【図２】
2016174242.tif 000004
【図３】
2016174242.tif 000005
【図４】
2016174242.tif 000006
【図５】
2016174242.tif 000007
【図６】
2016174242.tif 000008
【図７】
2016174242.tif 000009
【図８】
2016174242.tif 000010
【図９】
2016174242.tif 000011
【図１０】
2016174242.tif 000012
【図１１】
2016174242.tif 000013
【図１２】
2016174242.tif 000014
【図１３】
2016174242.tif 000015
【図１４】
2016174242.tif 000016
【図１５】
2016174242.tif 000017
【図１６】
2016174242.tif 000018
【図１７】
2016174242.tif 000019
【図１８】
2016174242.tif 000020
【図１９】
2016174242.tif 000021
【図２０】
2016174242.tif 000022
【図２１】
2016174242.tif 000023
【図２２】
2016174242.tif 000024
【図２３】
2016174242.tif 000025
【図２４】
2016174242.tif 000026
【図２５】
2016174242.tif 000027
【図２６】
2016174242.tif 000028
【図２７】
2016174242.tif 000029
【図２８】
2016174242.tif 000030
【図２９】
2016174242.tif 000031
【図３０】
2016174242.tif 000032
【図３１】
2016174242.tif 000033
【図３２】
2016174242.tif 000034
【図３３】
2016174242.tif 000035
【図３４】
2016174242.tif 000036
【図３５】
2016174242.tif 000037
【図３６】
2016174242.tif 000038
【図３７】
2016174242.tif 000039
【図３８】
2016174242.tif 000040
【図３９】
2016174242.tif 000041
【図４０】
2016174242.tif 000042
【図４１】
2016174242.tif 000043
【図４２】
2016174242.tif 000044
【図４３】
2016174242.tif 000045
【図４４】
2016174242.tif 000046
【図４５】
2016174242.tif 000047
【図４６】
2016174242.tif 000048
【図４７】
2016174242.tif 000049
【図４８】
2016174242.tif 000050
【図４９】
2016174242.tif 000051